(57)【要約】      （修正有）【課題】歩幅の計測結果を有効に利用する装置を提供する。【解決手段】体力判定装置は、ユーザの歩幅に基づいて当該ユーザの歩幅評価値を決定する歩幅評価部１５７と、歩幅評価部１５７が決定した歩幅評価値に基づいてユーザの歩幅の評価結果を示す結果情報を出力する結果情報出力部１５８と、を備える。【選択図】図１
2015134111.tif 000002
【特許請求の範囲】
【請求項１】
ユーザの歩幅に基づいて当該ユーザの歩幅評価値を決定する歩幅評価部と、
前記歩幅評価部が決定した前記歩幅評価値に基づいて前記ユーザの歩幅の評価結果を示す結果情報を出力する結果情報出力部と、
を備えることを特徴とする体力判定装置。
【請求項２】
前記歩幅評価部は、
前記歩幅評価値として、前記ユーザの歩幅に基づいて歩幅年齢を決定し、
前記結果情報出力部は、
前記歩幅評価部が決定した前記歩幅年齢に基づく情報を、前記結果情報として出力する
ことを特徴とする請求項１に記載の体力判定装置。
【請求項３】
前記歩幅評価部は、
年齢に基づいた標準的な歩幅を示す標準歩幅情報に基づいて、前記ユーザの歩幅に対応する前記標準的な歩幅に対応する前記年齢を、前記歩幅年齢として決定する
ことを特徴とする請求項２に記載の体力判定装置。
【請求項４】
前記標準歩幅情報として、前記年齢を示す情報と前記標準的な歩幅を示す情報とが関連付けられたデータテーブルが記憶部に記憶されており、
前記歩幅評価部は、
前記記憶部に記憶されている前記データテーブルを参照して、前記ユーザの歩幅に対応する前記標準的な歩幅に関連付けられている前記年齢を、前記歩幅年齢として決定する
ことを特徴とする請求項３に記載の体力判定装置。
【請求項５】
前記標準歩幅情報において、前記標準的な歩幅は、前記年齢に加えて身長又は性別に基づいて定められており、
前記歩幅評価部は、
前記ユーザの歩幅と前記ユーザの身長又は性別とに基づいて、前記歩幅年齢を決定する
ことを特徴とする請求項３または４に記載の体力判定装置。
【請求項６】
前記結果情報出力部は、
前記歩幅評価部が決定した前記歩幅年齢と前記ユーザの実年齢とに基づいて、前記歩幅年齢と前記実年齢との差を示す情報を、前記結果情報として出力する
ことを特徴とする請求項２から５の何れか一項に記載の体力判定装置。
【請求項７】
前記結果情報出力部は、
前記歩幅評価部が決定した前記歩幅年齢に基づいて、前記ユーザの体力判定結果を示す判定結果情報を、前記結果情報として出力する
ことを特徴とする請求項２から６の何れか一項に記載の体力判定装置。
【請求項８】
前記結果情報出力部は、
前記歩幅評価部が決定した前記歩幅年齢と前記ユーザの実年齢との差に基づいて、前記ユーザの体力判定結果を示す判定結果情報を、前記結果情報として出力する
ことを特徴とする請求項２から７の何れか一項に記載の体力判定装置。
【請求項９】
前記ユーザの歩幅を示す歩幅情報の入力を受け付ける歩幅情報受付部、
を備え、
前記歩幅評価部は、
前記歩幅情報受付部が受け付けた前記歩幅情報に基づいて前記歩幅評価値を決定する
ことを特徴とする請求項１から８の何れか一項に記載の体力判定装置。
【請求項１０】
前記ユーザの歩幅を計測する歩幅計測部、
を備え、
前記歩幅評価部は、
前記歩幅計測部が計測した前記ユーザの歩幅に基づいて前記歩幅評価値を決定する
ことを特徴とする請求項１から８の何れか一項に記載の体力判定装置。
【請求項１１】
ユーザの所定の身体部位における体組成に基づく体組成評価値を決定する体組成評価部と、
前記ユーザの運動力評価値の入力を受け付ける運動力受付部と、
を備え、
前記運動力評価値には、少なくとも前記歩幅評価値に基づく評価値が含まれ、
前記結果情報出力部は、
前記運動力評価値、及び前記体組成評価値に基づいて前記ユーザの体力判定結果を示す判定結果情報を、前記結果情報として出力する
ことを特徴とする請求項１から１０の何れか一項に記載の体力判定装置。
【請求項１２】
ユーザの所定の身体部位における体組成に基づく体組成評価値を決定する体組成評価部と、
前記ユーザの歩幅に基づいて決定された歩幅評価値に基づく評価値が少なくとも含まれる運動力評価値の入力を受け付ける運動力受付部と、
前記運動力評価値、及び前記体組成評価値に基づいて前記ユーザの体力判定結果を示す判定結果情報を結果情報として出力する結果情報出力部と、
を備えることを特徴とする体力判定装置。
【請求項１３】
前記ユーザの歩幅に基づいて前記歩幅評価値を決定する歩幅評価部、
を備えることを特徴とする請求項１２に記載の体力判定装置。
【請求項１４】
請求項１から１３の何れか一項に記載の体力判定装置が出力する前記結果情報に基づいて運動処方を示す処方情報を出力する処方情報出力部、
を備えることを特徴とする運動処方装置。
【請求項１５】
ユーザの歩幅に基づいて決定された歩幅評価値に基づいて、運動処方を示す処方情報を出力する処方情報出力部、
を備えることを特徴とする運動処方装置。
【請求項１６】
前記ユーザの歩幅に基づいて当該ユーザの歩幅評価値を決定する歩幅評価部、
を備え、
前記処方情報出力部は、
前記歩幅評価部が決定した前記歩幅評価値に基づいて、運動処方を示す処方情報を出力する
ことを特徴とする請求項１５に記載の運動処方装置。
【請求項１７】
ユーザの所定の身体部位における体組成に基づく体組成評価値を決定する体組成評価部と、
前記ユーザの運動力評価値の入力を受け付ける運動力受付部と、
を備え、
前記運動力評価値には、少なくとも前記歩幅評価値に基づく評価値が含まれ、
前記処方情報出力部は、
前記運動力評価値、及び前記体組成評価値に基づいて、運動処方を示す処方情報を出力する
ことを特徴とする請求項１４から１６の何れか一項に記載の運動処方装置。
【請求項１８】
体力判定装置の体力判定方法であって、
ユーザの歩幅に基づいて当該ユーザの歩幅評価値を決定するステップと、
前記決定した前記歩幅評価値に基づいて前記ユーザの歩幅の評価結果を示す結果情報を出力するステップと、
を含むことを特徴とする体力判定方法。
【請求項１９】
体力判定装置の体力判定方法であって、
ユーザの所定の身体部位における体組成に基づく体組成評価値を決定するステップと、
前記ユーザの歩幅に基づいて決定された歩幅評価値に基づく評価値が少なくとも含まれる運動力評価値の入力を受け付けるステップと、
前記運動力評価値、及び前記体組成評価値に基づいて前記ユーザの体力判定結果を示す判定結果情報を結果情報として出力するステップと、
を含むことを特徴とする体力判定方法。
【請求項２０】
運動処方装置の運動処方方法であって、
ユーザの歩幅に基づいて決定された歩幅評価値に基づいて運動処方を示す処方情報を出力するステップ、
を含むことを特徴とする運動処方方法。
【請求項２１】
コンピュータに、
ユーザの歩幅に基づいて当該ユーザの歩幅評価値を決定するステップと、
前記決定した前記歩幅評価値に基づいて前記ユーザの歩幅の評価結果を示す結果情報を出力するステップと、
を実行させるためのプログラム。
【請求項２２】
コンピュータに、
ユーザの所定の身体部位における体組成に基づく体組成評価値を決定するステップと、
前記ユーザの歩幅に基づいて決定された歩幅評価値に基づく評価値が少なくとも含まれる運動力評価値の入力を受け付けるステップと、
前記運動力評価値、及び前記体組成評価値に基づいて前記ユーザの体力判定結果を示す判定結果情報を結果情報として出力するステップと、
を実行させるためのプログラム。
【請求項２３】
コンピュータに、
ユーザの歩幅に基づいて決定された歩幅評価値に基づいて運動処方を示す処方情報を出力するステップ、
を実行させるためのプログラム。
【発明の詳細な説明】
【技術分野】
【０００１】
本発明は、体力判定装置、運動処方装置、体力判定方法、運動処方方法、及びプログラムに関する。
【背景技術】
【０００２】
運動能力や体力、健康増進等に関係する重要なファクタの一つとして、歩行時または走行時の歩幅が注目されている。例えば、運動に適した歩幅で歩行または走行することにより運動効果を高めることができる。歩幅を測定する方法として、例えば特許文献１には、移動距離と歩数とに基づいて歩幅を導く方法が記載されている。
【先行技術文献】
【特許文献】
【０００３】
【特許文献１】特許第５２０６７６４号公報
【発明の概要】
【発明が解決しようとする課題】
【０００４】
しかしながら、歩幅を測定したとしても、その測定結果が自身にとって適した歩幅であるのかを容易に知ることができず、歩幅の測定結果が有効に活用されていない場合があった。
【０００５】
本発明は、上述した事情に鑑みてなされたものであり、歩幅の計測結果を有効に利用することができる体力判定装置、運動処方装置、体力判定方法、運動処方方法、及びプログラムを提供することを目的の一つとする。
【課題を解決するための手段】
【０００６】
本発明の一態様は、ユーザの歩幅に基づいて当該ユーザの歩幅評価値を決定する歩幅評価部と、前記歩幅評価部が決定した前記歩幅評価値に基づいて前記ユーザの歩幅の評価結果を示す結果情報を出力する結果情報出力部と、を備えることを特徴とする体力判定装置である。
【０００７】
また、本発明の一態様は、ユーザの所定の身体部位における体組成に基づく体組成評価値を決定する体組成評価部と、前記ユーザの歩幅に基づいて決定された歩幅評価値に基づく評価値が少なくとも含まれる運動力評価値の入力を受け付ける運動力受付部と、前記運動力評価値、及び前記体組成評価値に基づいて前記ユーザの体力判定結果を示す判定結果情報を結果情報として出力する結果情報出力部と、を備えることを特徴とする体力判定装置である。
【０００８】
また、本発明の一態様は、ユーザの歩幅に基づいて決定された歩幅評価値に基づいて、運動処方を示す処方情報を出力する処方情報出力部、を備えることを特徴とする運動処方装置である。
【０００９】
また、本発明の一態様は、体力判定装置の体力判定方法であって、ユーザの歩幅に基づいて当該ユーザの歩幅評価値を決定するステップと、前記決定した前記歩幅評価値に基づいて前記ユーザの歩幅の評価結果を示す結果情報を結果情報として出力するステップと、を含むことを特徴とする体力判定方法である。
【００１０】
また、本発明の一態様は、体力判定装置の体力判定方法であって、ユーザの所定の身体部位における体組成に基づく体組成評価値を決定するステップと、前記ユーザの歩幅に基づいて決定された歩幅評価値に基づく評価値が少なくとも含まれる運動力評価値の入力を受け付けるステップと、前記運動力評価値、及び前記体組成評価値に基づいて前記ユーザの体力判定結果を示す判定結果情報を結果情報として出力するステップと、を含むことを特徴とする体力判定方法である。
【００１１】
また、本発明の一態様は、運動処方装置の運動処方方法であって、ユーザの歩幅に基づいて決定された歩幅評価値に基づいて運動処方を示す処方情報を出力するステップ、を含むことを特徴とする運動処方方法である。
【００１２】
また、本発明の一態様は、コンピュータに、ユーザの所定の身体部位における体組成に基づく体組成評価値を決定するステップと、前記ユーザの歩幅に基づいて決定された歩幅評価値に基づく評価値が少なくとも含まれる運動力評価値の入力を受け付けるステップと、前記運動力評価値、及び前記体組成評価値に基づいて前記ユーザの体力判定結果を示す判定結果情報を出力するステップと、を実行させるためのプログラムである。
【００１３】
また、本発明の一態様は、コンピュータに、ユーザの歩幅に基づいて当該ユーザの歩幅評価値を決定するステップと、前記決定した前記歩幅評価値に基づいて前記ユーザの歩幅の評価結果を示す結果情報を出力するステップと、を実行させるためのプログラムである。
【００１４】
また、本発明の一態様は、コンピュータに、ユーザの歩幅に基づいて決定された歩幅評価値に基づいて運動処方を示す処方情報を出力するステップ、を実行させるためのプログラムである。
【発明の効果】
【００１５】
本発明によれば、歩幅の計測結果を有効に利用することができる。
【図面の簡単な説明】
【００１６】
【図１】第１の実施形態による歩幅計測装置の構成の一例を示す概略ブロック図である。
【図２】ユーザ情報テーブルのデータ構造の例を示す図である。
【図３】歩幅評価テーブルのデータ構造の例を示す図である。
【図４】体力判定テーブルのデータ構造の例を示す図である。
【図５】評価コメントテーブルのデータ構造の例を示す図である。
【図６】第１の実施形態による「歩幅計測画面」の例を示す図である。
【図７】第１の実施形態による歩幅計測処理の一例を示すフローチャートである。
【図８】第２の実施形態による歩幅計測装置の構成の一例を示す概略ブロック図である。
【図９】処方テーブルのデータ構造の例を示す図である。
【図１０】第２の実施形態による「歩幅計測画面」の例を示す図である。
【図１１】第３の実施形態による体力判定システムの構成の一例を示す概略ブロック図である。
【図１２】体力判定装置の機能構成の一例を示す機能ブロック図である。
【図１３】歩幅年齢に基づく運動力評価値の評価基準の一例を示す図である。
【図１４】体重支持指数に基づく運動力評価値の評価基準の一例を示す図である。
【図１５】判定テーブルのデータ構造の第１例を示す図である。
【図１６】判定テーブルのデータ構造の第２例を示す図である。
【図１７】第４の実施形態による運動処方システムの構成の一例を示す概略ブロック図である。
【図１８】運動処方装置の機能構成の一例を示す機能ブロック図である。
【図１９】第４の実施形態による処方テーブルのデータ構造の例を示す図である。
【図２０】第５の実施形態による運動処方装置の機能構成の一例を示す機能ブロック図である。
【図２１】第６の実施形態による体力判定装置の構成を示すブロック図である。
【図２２】第６の実施形態による運動処方装置の構成を示すブロック図である。
【発明を実施するための形態】
【００１７】
以下、図面を参照して、本発明の実施の形態について説明する。
＜第１の実施形態＞
図１は、この発明の一実施形態による歩幅計測装置１００の構成の一例を示す概略ブロック図である。この歩幅計測装置１００は、ユーザの歩幅を計測して、計測した歩幅に基づいて歩幅の評価結果を出力する体力判定装置の一例である。
【００１８】
歩幅計測装置１００は、ユーザが所持して歩行（又は走行）することにより、そのユーザの歩幅を計測する歩幅計測機能を有した携帯型の端末装置である。例えば、歩幅計測装置１００として、スマートフォンや携帯電話、タブレット型コンピュータ端末、携帯型の電子時計、携帯型の音楽プレーヤー、携帯型ゲーム機など内部にコンピュータ装置を備えた端末装置を適用することができる。また、歩幅計測装置１００は、歩幅計測機能を有する歩数計であってもよいし、歩幅計測を行うための専用の端末装置であってもよい。
【００１９】
図１に示す歩幅計測装置１００は、ＧＰＳアンテナ１１１と、位置情報取得部１１２と、加速度センサ１１３と、計時信号生成部１１４と、タッチパネル１２０と、通信部１３０と、記憶部１４０と、制御部１５０と、を備えている。
【００２０】
ＧＰＳアンテナ１１１は、ＧＰＳ（Ｇｌｏｂａｌ  Ｐｏｓｉｔｉｏｎｉｎｇ  Ｓｙｓｔｅｍ）衛星からの電波を受信する。位置情報取得部１１２は、ＧＰＳアンテナ１１１が受信したＧＰＳ衛星からの電波に基づいて位置を測定し、現在の位置情報を取得する。また、位置情報取得部１１２は、取得した複数の位置情報に基づいて、複数の位置の間の距離を算出する。そして、位置情報取得部１１２は、取得した位置情報または算出した距離を示す情報を制御部１５０に供給する。
【００２１】
加速度センサ１１３は、それぞれ歩幅計測装置１００の動きを検出して、検出結果を出力する。制御部１５０は、ユーザが歩幅計測装置１００を所持して歩行したときに、この加速度センサ１１３による歩幅計測装置１００の動きの検出結果に基づいてユーザの歩数を計数する。
【００２２】
計時信号生成部１１４は、基本周波数信号を発振する発振回路と、発振回路から出力される基本周波数信号から所定の周波数の信号に分周する分周回路と、を備え、計時用としての所定の周波数の計時信号を生成する。また、計時信号生成部１１４は、生成した計時信号を制御部１５０に供給する。制御部１５０は、この計時信号に基づいて時間の計測を行う。
【００２３】
タッチパネル１２０は、操作部１２１と、表示部１２２と、を備えている。
操作部１２１は、ユーザの操作に応じてユーザからの操作入力を受付ける入力デバイスである。例えば、操作部１２１は、ユーザからの操作入力を受け付けると、受け付けた操作入力に応じた操作入力信号を制御部１５０に供給する。なお、ここでは、操作部１２１は表示部１２２と一体に構成されてユーザからの操作入力を受け付けるタッチパネル１２０の場合を例としているが、これに限られるものではなく、例えば、操作部１２１は、キーボードやボタン等としてもよい。
【００２４】
表示部１２２は、画像や文字等の情報を表示する表示デバイスである。表示部１２２の表示領域を画面といい、表示部１２２の画面に表示される情報を画面情報という例えば、表示部１２２は、制御部１５０の制御により、歩幅計測の処理における各処理に対応した各種の画面情報を表示する。なお、歩幅計測における各種の画面情報がそれぞれ表示された画面を「歩幅計測画面」とも称する。
【００２５】
通信部１３０は、携帯電話網に接続される携帯電話基地局や、インターネットに接続される無線基地局、等とデータの通信を行う。
【００２６】
記憶部１４０は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュＲＯＭ、ＨＤＤ（Ｈａｒｄ  Ｄｉｓｋ  Ｄｒｉｖｅ）等の記録媒体またはこれらの組合せを用いて構成され、歩幅計測装置１００が備える各部を制御するためのプログラムや各種情報を記憶する。ここで、各種情報は、データベースのテーブル形式やＪＳＯＮ（ＪａｖａＳｃｒｉｐｔ（登録商標）Ｏｂｊｅｃｔ  Ｎｏｔａｔｉｏｎ）形式など、その情報の利用に適した形式で格納されていればよい。なお、記憶部１４０は、歩幅計測装置１００に装着するメモリカードであってもよい。
記憶部１４０は、ユーザ情報記憶部１４１と、計測情報記憶部１４２と、地図情報記憶部１４３と、画像情報記憶部１４４と、評価テーブル記憶部１４５と、を備えている。
【００２７】
ユーザ情報記憶部１４１は、歩幅計測装置１００を利用するユーザのユーザ情報が設定されたユーザ情報テーブルを記憶する。例えば、ユーザ情報テーブルには、ユーザ情報として、ユーザの性別、年齢、身長、体重などが、ユーザを識別するユーザＩＤと関連付けられている。
図２は、ユーザ情報テーブルＴＢＬ１のデータ構造の例を示す図である。ユーザ情報テーブルＴＢＬ１には、ユーザＩＤと、性別と、年齢と、身長と、体重と、が関連付けられている。ユーザＩＤは、歩幅計測装置１００を利用するユーザを識別する識別情報であり、例えば、ユーザによりユーザ情報が登録される際に歩幅計測装置１００が生成する。例えば、ユーザは、歩幅計測装置１００の利用を開始する際に、自身の性別と、年齢と、身長と、体重とを入力することで、入力されたユーザ情報がユーザ情報テーブルＴＢＬ１に格納されてユーザ情報記憶部１４１に記憶される。この図に示す例では、「０００１０１」のユーザＩＤに、性別が「男性」、年齢が「３２歳」、身長が「１７０ｃｍ」、及び体重が「６５ｋｇ」をそれぞれ示す情報が関連付けられている。なお、複数のユーザが歩幅計測装置１００を利用する場合には、それぞれのユーザのユーザ情報がユーザ情報記憶部１４１に記憶されてもよい。
【００２８】
計測情報記憶部１４２は、歩幅計測処理に関連する情報が記憶されている。この情報には、例えば、歩幅計測処理における計測時間（計測開始から計測終了までの時間）または計測に必要な歩行距離を示す情報、計測結果の履歴情報、などが含まれる。
【００２９】
地図情報記憶部１４３は、ＧＰＳを用いて取得する位置情報に対応した位置情報を有する地図データを記憶する。これにより、歩幅計測装置１００は、ＧＰＳを利用して取得したユーザの移動の軌跡を地図上に表示できる。
【００３０】
画像情報記憶部１４４は、表示部１２２に表示する画面情報を記憶する。例えば、画像情報記憶部１４４は、図２に示す歩幅計測画面のそれぞれを表示部１２２に表示するための画面情報を記憶する。
【００３１】
評価テーブル記憶部１４５は、計測した歩幅に基づいて歩幅評価値を決定するための歩幅評価テーブルを記憶している。ここで、歩幅評価値とは、例えば、歩幅の面からみて年齢を判断した歩幅年齢のことである。この歩幅評価テーブルには、年齢を示す情報と、年齢に基づいた標準的な歩幅を示す情報とが関連付けられている。即ち、この歩幅評価テーブルの「年齢」が「歩幅年齢」に相当する。なお、標準的な歩幅を示す情報は、歩幅の値そのものであってもよいが、歩幅は身長による差があるため、当該歩幅の値にユーザの身長を加味した値としてもよい。また、男性または女性によって標準的な歩幅が異なる場合があるので、上述の歩幅評価テーブルを、性別ごとに設けるようにしてもよい。
【００３２】
図３は、歩幅評価テーブルＴＢＬ２のデータ構造の例を示す図である。この図に示す歩幅評価テーブルＴＢＬ２の例では、年齢ごとの標準的な歩幅が、年齢に加えて身長及び性別に基づいて定められている。ここで、この標準的な歩幅が定められている年齢とは、即ち、「歩幅年齢」に相当する。この図において、歩幅評価テーブルＴＢＬ２ａは男性用の歩幅評価テーブルであり、歩幅評価テーブルＴＢＬ２ｂは女性用の歩幅評価テーブルである。歩幅評価テーブルＴＢＬ２ａと歩幅評価テーブルＴＢＬ１ｂとのそれぞれにおいて、年齢（即ち、「歩幅年齢」）と、その「歩幅年齢」に対応する標準的な歩幅の下限値である「歩幅下限」及び上限値である「歩幅上限」とが関連付けられている。
【００３３】
また、各「歩幅年齢」における標準的な歩幅は、例えば、実際に各年齢でサンプリングされた複数のユーザの歩幅と身長とに基づいて定められている。ここでは、標準的な歩幅は、身長に対する歩幅（以下、「歩幅指標値」と称する）としている。例えば、各年齢でサンプリングされた複数のユーザそれぞれの歩幅指標値を、式「歩幅指標値＝（歩幅÷身長）＋Ｋ（Ｋは所定の係数）」により算出し、算出した複数のユーザの歩幅指標値に基づいて、各年齢における標準的な歩幅の下限値と上限値とが歩幅指標値を用いて定められている。例えば、歩幅評価テーブルＴＢＬ２ａにおいて、３７歳の男性の標準的な歩幅は、歩幅指標値を用いて５３．４０（歩幅下限）〜５３．６９（歩幅上限）と定められている。
【００３４】
なお、この図に示す歩幅評価テーブルＴＢＬ２の例では、年齢ごとに標準的な歩幅が定められているが、これに限られるものではなく、例えば、年齢帯や年齢層ごとに標準的な歩幅が定められていてもよい。即ち、歩幅評価テーブルＴＢＬ２には、年齢に基づいた標準的な歩幅を示す標準歩幅情報が定められていればよい。
【００３５】
制御部１５０は、表示制御部１５１と、入力受付部１５２と、歩幅計測部１５６と、歩幅評価部１５７と、結果情報出力部１５８と、を備えている。
【００３６】
表示制御部１５１は、表示部１２２の表示を制御する。例えば、表示制御部１５１は、歩幅計測処理に従って、画像情報記憶部１４４に記憶されている歩幅計測画面の画面情報を表示部１２２に表示させる。
【００３７】
入力受付部１５２は、操作部１２１から制御部１５０に供給された操作入力信号を取得すると、取得した操作入力信号に基づいて、ユーザからの操作入力を受け付ける。制御部１５０が備える各部は、入力受付部１５２が受け付けた操作入力の内容に応じて制御する。
【００３８】
歩幅計測部１５６は、移動距離取得部１５３と、歩数取得部１５４と、歩幅取得部１５５と、を備え、ユーザの歩幅を計測する。
移動距離取得部１５３は、歩幅計測の計測開始から計測終了までの計測中にユーザが移動した移動距離を取得する。例えば、歩幅計測に必要な計測時間（例えば、５分）が予め設定されており、移動距離取得部１５３は、計測を開始した時点から計測終了までの計測中のユーザの移動距離を取得する。なお、この計測時間は、ユーザによって選択可能な構成としてもよい。なお、計測時間は、任意に設定することができる。
【００３９】
具体的には、移動距離取得部１５３は、位置情報取得部１１２が取得した歩幅計測装置１００の位置情報に基づいて、ユーザが移動した移動距離を取得する。例えば、移動距離取得部１５３は、計測を開始した時点から計測終了までの計測中における歩幅計測装置１００の位置の計測を位置情報取得部１１２に指示する。位置情報取得部１１２は、計測中における歩幅計測装置１００の位置情報を取得するとともに、取得した複数の位置情報と、地図情報記憶部１４３に記憶されている地図データとに基づいて、複数の位置の間の距離を加算してユーザが移動した移動距離を算出する。そして、移動距離取得部１５３は、位置情報取得部１１２が算出した移動距離を取得する。
【００４０】
なお、位置情報取得部１１２は、ＧＰＳの測位情報に基づいて移動距離を取得する方法に限られるものではなく、例えば、通信部１３０を介して携帯電話網に接続される携帯電話基地局や、インターネットに接続される無線基地局などを利用して取得した位置情報に基づいて移動距離を取得してもよいし、また、加速度センサ、角速度センサ、方位センサなどを利用して移動距離を取得してもよい。
【００４１】
歩数取得部１５４は、ユーザが歩幅計測装置１００を所持して歩行したときに、歩幅計測装置１００の動きに応じて加速度センサ１１３から出力される動きの検出結果に基づいてユーザの歩数を計数して取得する。例えば、歩数取得部１５４は、歩幅計測の計測開始から計測終了までの計測中にユーザが歩行した歩数を取得し、取得した歩数を歩幅取得部１５５に供給する。
【００４２】
なお、歩数取得部１５４が、加速度センサ１１３の出力に基づいて歩数を取得する方法は一例であって、これに限られるものではない。例えば、歩数取得部１５４は、加速度センサ１１３以外の動きを検出するセンサ（例えば、傾きセンサ、角速度センサなど）の出力に基づいて歩数を取得してもよいし、各種センサの出力の組み合わせに基づいて歩数を取得してもよい。また、歩数取得部１５４は、動きを検出するセンサを用いずに歩数を取得してもよい。この場合、歩数取得部１５４は、例えば、ユーザに歩行ピッチを提示するピッチ音を出力して、ユーザにピッチ音に合わせて歩いてもらうことにより、ピッチ音の出力回数に基づいて歩数を取得してもよい。
【００４３】
歩幅取得部１５５は、計測中にユーザが移動した移動距離と、計測中にユーザが歩行した歩数とに基づいて歩幅を取得する。例えば、歩幅取得部１５５は、移動距離取得部１５３が取得した「移動距離」と、歩数取得部１５４が取得した「歩数」とに基づいて、式「歩幅＝移動距離÷歩数」により、計測中にユーザが歩行した「歩幅」（平均歩幅）を算出して取得する。
【００４４】
歩幅評価部１５７は、ユーザの歩幅に基づいてユーザの歩幅評価値を決定する。一例として、歩幅評価部１５７は、歩幅評価値として、ユーザの歩幅に基づいて歩幅年齢を決定する。例えば、歩幅評価部１５７は、歩幅取得部１５５が取得したユーザの歩幅（平均歩幅）に基づいて、歩幅評価テーブルＴＢＬ２を参照して、ユーザの歩幅年齢を決定する。
【００４５】
具体的には、歩幅評価部１５７は、歩幅取得部１５５により取得されたユーザの歩幅（平均歩幅）と当該ユーザの身長とに基づいて、式「歩幅指標値＝（歩幅÷身長）＋Ｋ（Ｋは所定の係数）」により当該ユーザの歩幅指標値を算出する。そして、歩幅評価部１５７は、歩幅評価テーブルＴＢＬ２を参照して、算出した歩幅指標値に該当する「歩幅下限」及び「歩幅上限」が定められた標準的な歩幅（歩幅指標値）に関連付けられている「歩幅年齢」を、当該ユーザの歩幅年齢として決定する。即ち、歩幅評価部１５７は、歩幅評価テーブルＴＢＬ２を参照して、ユーザの歩幅に対応する標準的な歩幅に関連付けられている歩幅年齢を、当該ユーザの歩幅年齢として決定する
【００４６】
一例として、歩幅取得部１５５により取得された男性ユーザの歩幅（平均歩幅）に基づいて算出された歩幅指標値が５３．５０の場合、男性用の歩幅評価テーブルＴＢＬ２ａを参照すると、この男性ユーザの歩幅年齢は３７歳と決定される。
【００４７】
このように、歩幅評価部１５７は、ユーザの歩幅とユーザの身長及び性別とに基づいて、歩幅年齢を決定する。なお、歩幅評価部１５７は、ユーザの歩幅とユーザの身長とに基づいて、歩幅年齢を決定してもよい。また、歩幅評価部１５７は、ユーザの歩幅とユーザの性別とに基づいて、歩幅年齢を決定してもよい。
【００４８】
結果情報出力部１５８は、歩幅評価部１５７が決定した歩幅評価値に基づいてユーザの歩幅の評価結果を示す結果情報を出力する。例えば、結果情報出力部１５８は、歩幅評価部１５７が決定した歩幅年齢を示す情報を結果情報として表示制御部１５１に供給する。表示制御部１５１は、結果情報出力部１５８から供給された結果情報に基づいて、ユーザの歩幅年齢を示す情報を表示部１２２に表示させる。例えば、表示制御部１５１は、歩幅計測において計測終了後に表示部１２２に表示させる「歩幅計測画面」に、ユーザの歩幅年齢を含めて表示させてもよい。
【００４９】
また、結果情報出力部１５８は、歩幅評価部１５７が決定した歩幅年齢と、ユーザ情報記憶部１４１に記憶されているユーザ情報に含まれる年齢（ユーザが設定した実年齢）とに基づいて、歩幅年齢と実年齢との差を示す情報を生成して結果情報として出力してもよい。例えば、歩幅評価部１５７が決定した歩幅年齢が３７歳であって、ユーザ情報に含まれる年齢が３２歳である場合には、歩幅年齢と実年齢との差を示す情報として、実年齢差が＋５歳であることを示す情報が結果情報として出力される。
【００５０】
なお、歩幅評価部１５７が、決定した歩幅年齢と、ユーザ情報記憶部１４１に記憶されているユーザ情報に含まれる年齢（ユーザが設定した実年齢）とに基づいて、歩幅年齢と実年齢との差を示す情報を生成して結果情報出力部１５８に供給してもよい。そして、結果情報出力部１５８は、歩幅評価部１５７から取得した歩幅年齢と実年齢との差を示す情報を結果情報として出力してもよい。
【００５１】
また、結果情報出力部１５８は、歩幅評価部１５７が決定した歩幅年齢に基づいて、ユーザの体力判定結果を示す判定結果情報を、結果情報として出力してもよい。例えば、結果情報出力部１５８は、歩幅評価部１５７が決定した歩幅年齢とユーザの実年齢との差に基づいて、ユーザの体力判定結果を示す判定結果情報を、結果情報として出力してもよい。
【００５２】
具体的には、結果情報出力部１５８は、図４に示すような体力判定テーブルＴＢＬ３を参照して、歩幅年齢と実年齢との差に基づいて体力判定結果を示す情報を生成する。
図４は、体力判定テーブルＴＢＬ３のデータ構造の例を示す図である。なお、この体力判定テーブルＴＢＬ３は、例えば、評価テーブル記憶部１４５に記憶されている。
【００５３】
この図４に示す体力判定テーブルＴＢＬ３には、各歩幅年齢と各実年齢とのそれぞれの組み合わせに、６段階（Ｓ、Ａ、Ｂ、Ｃ、Ｄ、Ｅ）にグレーディングされた体力レベルのいずれかが対応付けられている。なお、ここでは、体力レベル「Ｓ、Ａ、Ｂ、Ｃ、Ｄ、Ｅ」の順に体力レベルが高い方から低い方へ６段階にグレーディングされている。
【００５４】
例えば、歩幅年齢が３７歳であって実年齢が３２歳である場合、結果情報出力部１５８は、体力判定テーブルＴＢＬ３を参照して、体力判定結果として体力レベル「Ｅ」を読み出す。そして、結果情報出力部１５８は、体力レベル「Ｅ」を示す情報を、結果情報として出力する。
【００５５】
なお、図４に示す体力判定テーブルＴＢＬ３の例では、体力レベルとして、「Ｓ、Ａ、Ｂ、Ｃ、Ｄ、Ｅ」などの記号で表された体力レベルとする例を説明したが、体力レベルの表し方は記号に限られるものではなく、「優れている、普通、劣っている」などの言葉で表された体力レベルとしてもよいし、数字で表された体力レベルとしてもよい。
【００５６】
また、結果情報出力部１５８は、歩幅年齢または体力判定結果に基づいて、ユーザに提示する評価コメントを、結果情報として出力してもよい。例えば、結果情報出力部１５８は、歩幅年齢と実年齢との差に基づいて生成した体力レベルに基づいて、体力レベルに対応する評価コメントを出力してもよい。
【００５７】
具体的には、結果情報出力部１５８は、図５に示すような評価コメントテーブルＴＢＬ４を参照して、体力レベルに基づいて評価コメントを示す情報を生成する。
図５は、評価コメントテーブルＴＢＬ４のデータ構造の例を示す図である。なお、この評価コメントテーブルＴＢＬ４は、例えば、評価テーブル記憶部１４５に記憶されている。この図５に示す評価コメントテーブルＴＢＬ４には、体力判定結果（「判定結果」）としての体力レベル「Ｓ、Ａ、Ｂ、Ｃ、Ｄ、Ｅ」と、それぞれの体力レベルの評価コメントとが対応付けられている。
【００５８】
なお、結果情報出力部１５８に代えて、歩幅評価部１５７が、決定した歩幅年齢とユーザの実年齢との差に基づいて、ユーザの体力判定結果を示す判定結果情報を生成して結果情報出力部１５８に供給してもよい。そして、結果情報出力部１５８は、歩幅評価部１５７から取得した判定結果情報を結果情報として出力してもよい。
【００５９】
次に、図６を参照して、結果情報出力部１５８が出力する結果情報の表示例について説明する。
図６は、本実施形態による計測終了後に表示部１２２に表示させる「歩幅計測画面」の例を示す図である。この図６は、歩幅の評価結果や体力判定結果を示す結果情報が含まれる「歩幅計測画面」の一例を示している。この図において、符号１２２ａは、表示部１２２に表示される「歩幅計測画面」の全体を示している。「歩幅計測画面」には、計測結果を表示する画面であることを示す情報（ここでは、「計測結果」）と、歩幅の評価結果を示す情報（ここでは、「あなたの歩幅年齢は」、及び評価結果ラベルＫ７５）が表示される。評価結果ラベルＫ７５には、計測した歩幅に基づく歩幅年齢（ここでは、「３７歳」）が表示される。
【００６０】
また、符号１２２ｂが示す領域には、計測開始から計測終了までにユーザが移動した軌跡が記された地図が表示される。また、符号１２２ｃが示す領域には、歩幅年齢以外の計測に関連した情報が表示される。例えば、この領域には、歩幅年齢の実年齢との差（ここでは、「実年齢差  ＋５歳」）、歩幅年齢と実年齢との差に基づいて判定された体力判定結果（ここでは、「体力レベル  Ｅ」）、計測開始から計測終了までに移動した移動距離、計測開始から計測終了までの歩数、計測により取得した平均歩幅、計測開始から計測終了までに消費した消費カロリーなどが表示される。また、符号１２２ｄが示す領域には、評価結果に基づく評価コメントが記載される。ここで、評価コメントとしては、評価結果に基づいて、例えば「あなたの歩幅は３２歳の標準の歩幅に対してやや狭いです。日常生活には問題ありませんが体力が不足気味です。」といった内容のテキストで構成されたコメントが表示される。
【００６１】
次に、図７を参照して、本実施形態による歩幅計測処理の動作を説明する。
図７は、本実施形態による歩幅計測装置１００の歩幅計測処理の一例を示すフローチャートである。ここでは、歩幅計測装置１００がユーザの歩幅を計測し、計測した歩幅に基づいて歩幅の評価結果を出力する処理の例を説明する。
【００６２】
ユーザの操作に応じて歩幅計測部１５６は計測を開始する（ステップＳ１０）。具体的には、移動距離取得部１５３は、位置情報取得部１１２に対して、歩幅計測装置１００の現在地情報（現在の位置情報）の取得を開始させる指示をする。また、歩数取得部１５４は、加速度センサ１１３から出力される動きの検出結果に基づいてユーザの歩数の計数を開始する（ステップＳ１５）。
【００６３】
歩幅計測部１５６は、設定された計測時間が終了したか否かを判定し（ステップＳ２０）、計測時間が終了していないと判定された場合（ステップＳ２０：Ｎｏ）、計測を継続する。一方、ステップＳ２０において、設定された計測時間が終了したと判定された場合（ステップＳ２０：Ｙｅｓ）、移動距離取得部１５３は、位置情報取得部１１２に対して、歩幅計測装置１００の現在地情報の取得を停止させ、計測中にユーザが移動した移動距離を取得する。また、歩数取得部１５４は、ユーザの歩数の計数を終了して、計測中に計数したユーザの歩数を取得する（ステップＳ２５）。
【００６４】
次に、歩幅取得部１５５は、移動距離取得部１５３が取得した移動距離と、歩数取得部１５４が取得した歩数とに基づいて、式「歩幅＝移動距離÷歩数」により、計測中にユーザが歩行した歩幅（平均歩幅）を算出して取得する（ステップＳ３０）。
【００６５】
続いて、歩幅評価部１５７は、歩幅取得部１５５が取得したユーザの歩幅（平均歩幅）に基づいて、ユーザの歩幅評価値を決定する。例えば、歩幅評価部１５７は、歩幅取得部１５５が取得したユーザの歩幅（平均歩幅）に基づいて、歩幅評価テーブルＴＢＬ２を参照して、ユーザの歩幅年齢を決定する（ステップＳ３５）。
【００６６】
そして、結果情報出力部１５８は、歩幅評価部１５７が決定した歩幅評価値に基づいてユーザの歩幅の評価結果を示す結果情報を出力する（ステップＳ４０）。例えば、結果情報出力部１５８は、歩幅評価部１５７が決定した歩幅年齢を示す情報を結果情報として表示制御部１５１に供給する。表示制御部１５１は、結果情報出力部１５８から取得した結果情報に基づいて、ユーザの歩幅年齢を示す情報を表示部１２２に表示させる（例えば、図６に示す歩幅計測画面参照）。
【００６７】
〔まとめ〕
以上説明したように、本実施形態による体力判定装置の一例である歩幅計測装置１００は、歩幅評価部１５７と、結果情報出力部１５８とを備えている。歩幅評価部１５７は、ユーザの歩幅に基づいて当該ユーザの歩幅評価値を決定する。そして、結果情報出力部１５８は、歩幅評価部が決定した歩幅評価値に基づいてユーザの歩幅の評価結果を示す結果情報を出力する。ここで、上述の歩幅計測装置１００は、ユーザの歩幅を計測する歩幅計測部１５６を備えた構成である。そして、歩幅評価部１５７は、歩幅計測部１５６が計測したユーザの歩幅に基づいて歩幅評価値を決定する。
このように、歩幅計測装置１００は、ユーザの歩幅を計測するとともに、歩幅の計測のみならず、計測した歩幅の評価結果を提示することができるため、歩幅の計測結果を有効に利用することができる。
【００６８】
例えば、歩幅評価部１５７は、歩幅評価値として、ユーザの歩幅に基づいて歩幅年齢を決定してもよい。そして、結果情報出力部１５８は、歩幅評価部１５７が決定した歩幅年齢に基づく情報を、結果情報として出力してもよい。
これにより、歩幅計測装置１００は、例えば、計測した歩幅に基づいて歩幅年齢を示す情報を提示することができるため、感覚的にわかりやすい指標で歩幅の評価結果を提示することができる。
【００６９】
具体的には、歩幅評価部１５７は、年齢に基づいた標準的な歩幅を示す標準歩幅情報に基づいて、ユーザの歩幅に対応する標準的な歩幅に対応する年齢を、歩幅年齢として決定する。例えば、標準歩幅情報として、年齢を示す情報と標準的な歩幅を示す情報とが関連付けられた歩幅評価テーブルＴＢＬ２（データテーブルの一例）が評価テーブル記憶部１４５（記憶部の一例）に記憶されている。そして、歩幅評価部１５７は、評価テーブル記憶部１４５に記憶されている歩幅評価テーブルＴＢＬ２を参照して、ユーザの歩幅に対応する標準的な歩幅に関連付けられている年齢を、歩幅年齢として決定する。
これにより、歩幅計測装置１００は、年齢に基づいた標準的な歩幅によりユーザの歩幅年齢を決定することができる。また、年齢に基づいた標準的な歩幅をデータテーブルとして有するため、データを更新することで、より精度のよい歩幅年齢を決定することも可能である。
【００７０】
ここで、標準歩幅情報において、標準的な歩幅は、年齢に加えて身長又は性別に基づいて定められている。そして、歩幅評価部１５７は、ユーザの歩幅と前記ユーザの身長又は性別とに基づいて、前記歩幅年齢を決定する。
これにより、歩幅計測装置１００は、ユーザの身長差や性別を加味して適切な歩幅年齢を決定することができる。
【００７１】
なお、標準歩幅情報は、上述した歩幅評価テーブルＴＢＬ２のようなテーブル形式で格納されている構成に限られるものではなく、他の形式で格納されてもよい。また、標準歩幅情報は、歩幅、身長、又は性別に基づいて歩幅年齢が導かれるアルゴリズムとして構成されてもよい。
【００７２】
なお、結果情報出力部１５８は、歩幅評価部１５７が決定した歩幅年齢とユーザの実年齢とに基づいて、歩幅年齢と実年齢との差を示す情報を、結果情報として出力してもよい。
これにより、歩幅計測装置１００は、例えば、計測した歩幅に基づいて歩幅年齢と実年齢との差を示す情報を提示することができるため、感覚的にわかりやすい指標で歩幅の評価結果をユーザに提示することができる。
【００７３】
また、結果情報出力部１５８は、歩幅評価部１５７が決定した歩幅年齢に基づいて、ユーザの体力判定結果を示す判定結果情報を、結果情報として出力してもよい。例えば、結果情報出力部１５８は、歩幅評価部１５７が決定した歩幅年齢とユーザの実年齢との差に基づいて、ユーザの体力判定結果を示す判定結果情報を、結果情報として出力してもよい。
これにより、歩幅計測装置１００は、計測した歩幅に基づいた体力判定結果をユーザに提示することができる。例えば、歩幅計測装置１００は、歩幅年齢に基づいた体力判定結果をユーザに提示することができる。また、歩幅計測装置１００は、歩幅年齢と実年齢との差に基づいた体力判定結果をユーザに提示することができる。よって、ユーザは、自身の歩く歩幅によって、自身の体力レベルを知ることができる。
【００７４】
なお、上述した例では、歩幅計測装置１００が、計測したユーザの歩幅に基づいて、歩幅評価値を決定する例を説明したが、これに限られるものではない。例えば、歩幅計測装置１００は、ユーザの操作によって入力された歩幅を示す情報（歩幅情報）に基づいて、歩幅評価値を決定してもよい。具体的には、操作部１２１に対するユーザの操作に基づいて、入力受付部１５２が歩幅情報受付部として機能し、ユーザの歩幅情報（歩幅の値、歩幅に身長または性別を加味した値など）の入力を受け付けてもよい。そして、歩幅評価部１５７は、入力受付部１５２が受け付けた歩幅情報に基づいて歩幅評価値を決定してもよい。
即ち、本実施形態の体力判定装置として、上述した歩幅計測装置１００を一例として説明したが、歩幅計測の機能は必須ではなく、少なくとも歩幅評価部１５７と結果情報出力部１５８とを備えた構成としてもよい。
【００７５】
また、上述した例では、結果情報出力部１５８が出力する結果情報が表示部１２２に表示される例を説明したが、これに限られるものではない。例えば、結果情報出力部１５８は、結果情報が音声として出力されるように音声出力部（不図示）に出力してもよい。また、結果情報出力部１５８は、結果情報が含まれるデータを生成して、ファイル形式で出力してもよいし、通信により他の装置に送信してもよい。
【００７６】
＜第２の実施形態＞
次に、本発明の第２の実施形態について説明する。
第１の実施形態の歩幅計測装置１００では、計測した歩幅に基づいて歩幅の評価結果や体力判定結果を出力する例を説明した。本実施形態では、計測した歩幅に基づいてユーザに運動メニューを提示する構成例を説明する。
【００７７】
図８は、本実施形態による歩幅計測装置１００Ａの構成の一例を示す概略ブロック図である。この図８において、図１の各部に対応する構成には同一の符号を付け、その説明を省略する。この図８に示す歩幅計測装置１００Ａは、ユーザの歩幅を計測して、計測した歩幅に基づいてユーザに運動メニューを提示する運動処方装置の一例である。
【００７８】
歩幅計測装置１００Ａは、ＧＰＳアンテナ１１１と、位置情報取得部１１２と、加速度センサ１１３と、計時信号生成部１１４と、タッチパネル１２０と、通信部１３０と、記憶部１４０Ａと、制御部１５０Ａと、を備えている。記憶部１４０Ａは、図１に示す記憶部１４０の構成に対して、処方テーブル記憶部１４６を備えている点が相違する。また、制御部１５０Ａは、図１に示す制御部１５０の構成に対して、処方情報出力部１５９を備えている点が相違する。
【００７９】
処方テーブル記憶部１４６は、計測した歩幅に基づいてユーザに提示する運動メニューを決定するための処方テーブルＴＢＬ５を記憶している。図９は、処方テーブルＴＢＬ５のデータ構造の例を示す図である。この図に示す処方テーブルＴＢＬ５には、６段階の「歩幅年齢の実年齢との差（実年齢差）」と、５段階に区分けした「実年齢」とに対応付けられた３０個の処方情報ＩＮＦ１１１〜ＩＮＦ１６５を記憶している。
【００８０】
処方情報出力部１５９は、歩幅評価部１５７が決定した歩幅評価値に基づいて、ユーザに提示する運動メニュー（運動処方の一例）を示す処方情報を出力する。例えば、処方情報出力部１５９は、歩幅評価部１５７が決定した歩幅年齢と、ユーザ情報記憶部１４１に記憶されているユーザの実年齢とに基づいて、処方テーブルＴＢＬ５を参照して、歩幅年齢の実年齢との差（実年齢差）と実年齢との組み合わせに対応した処方情報を読み出して表示制御部１５１に供給する。
【００８１】
例えば、実年齢差が＋５歳で、実年齢が３２歳の場合、処方情報出力部１５９は、処方テーブルＴＢＬ５を参照して、処方情報ＩＮＦ１６２を読み出す。処方情報ＩＮＦ１６２には、例えば、「あなたの歩幅は３２歳の標準の歩幅に対してやや狭いです。日常生活には問題ありませんが体力が不足気味です。ウォーキングなどから始めるのがオススメです。」といったテキストで構成される。
【００８２】
表示制御部１５１は、処方情報出力部１５９から取得した処方情報に基づいて、ユーザに提示する運動メニューを表示部１２２に表示させる。例えば、表示制御部１５１は、歩幅計測において計測終了後に表示部１２２に表示させる「歩幅計測画面」に、ユーザに提示する運動メニューを含めて表示させてもよい。
【００８３】
図１０は、本実施形態による計測終了後に表示部１２２に表示させる「歩幅計測画面」の例を示す図である。この図１０に示す「歩幅計測画面」の例は、符号１２２ｄが示す領域に、評価コメントに代えて、ユーザに提示する運動メニューを示す処方情報が表示されている点が、図６に示す例に対して相違する。例えば、本実施形態では、図７に示す歩幅計測処理のステップＳ４０において、結果情報出力部１５８は、歩幅評価部１５７が決定した歩幅評価値に基づいて処方情報を表示制御部１５１に供給する。そして、表示制御部１５１は、結果情報出力部１５８から取得した処方情報に基づいて、この図１０に示す歩幅計測画面の例のように、ユーザに提示する運動メニュー（運動処方）を表示部１２２に表示させる。
【００８４】
〔まとめ〕
以上説明したように、本実施形態による運動処方装置の一例である歩幅計測装置１００Ａは、歩幅評価部１５７と、処方情報出力部１５９とを備えている。歩幅評価部１５７は、ユーザの歩幅に基づいて当該ユーザの歩幅評価値（例えば、歩幅年齢）を決定する。そして、処方情報出力部１５９は、歩幅評価部１５７が決定した歩幅評価値（例えば、歩幅年齢）に基づいて、ユーザに提示する運動メニュー（運動処方の一例）を示す処方情報を出力する。
このように、歩幅計測装置１００Ａは、計測した歩幅に基づいて、ユーザに適した運動メニューを提示することができるため、歩幅の計測結果を有効に利用することができる。
【００８５】
なお、処方情報出力部１５９は、歩幅評価部１５７が決定した歩幅評価値に基づいてユーザに提示する運動メニュー（運動処方の一例）を示す処方情報を出力する例を説明したが、結果情報出力部１５８が出力する結果情報に基づいて処方情報を出力してもよい。
また、歩幅計測装置１００Ａは、図８に示す構成のうちの結果情報出力部１５８と表示制御部１５１とを除いた構成としてもよい。
【００８６】
なお、上述した例では、処方情報出力部１５９が出力する処方情報が表示部１２２に表示される例を説明したが、これに限られるものではない。例えば、処方情報出力部１５９は、処方情報が音声として出力されるように音声出力部（不図示）に出力してもよい。また、処方情報出力部１５９は、処方情報が含まれるデータを生成して、ファイル形式で出力してもよいし、通信により他の装置に送信してもよい。
【００８７】
＜第３の実施形態＞
次に、本発明の第３の実施形態について説明する。
上述した第１の実施形態では、体力判定装置の一例として、ユーザの歩幅を計測し、計測した歩幅に基づいて歩幅の評価結果や体力判定結果を出力する携帯型の歩幅計測装置１００について説明した。本実施形態では、スポーツジムなどでユーザの体力を判定する場合に用いられる体力判定システム１を例として説明する。
【００８８】
図１１は、本実施形態による体力判定システム１の構成の一例を示す概略ブロック図である。体力判定システム１は、体力判定装置２００と超音波測定装置２とを備える。この体力判定装置２００は、歩幅に基づいて体力判定を行うことのみに限らず、歩幅以外を指標とした運動力評価値、または体組成評価値を加味して、ユーザの体力判定を行うことが可能である。
【００８９】
体力判定装置２００は、装置全体を制御するＣＰＵ（Central Processing Unit）１０、ＣＰＵ１０の作業領域として機能するＲＡＭ（Random Access Memory）１１、ブートプログラムなどを記憶したＲＯＭ（Read Only Memory）１２、各種のプログラムやデータを記憶するハードディスク１３、キーボードやマウスなどを含む入力部１４、画像を表示するディスプレイ１５、通信網を介して外部の装置と通信を行う通信インターフェース１６、コンパクトディスクなどの情報記録媒体を読み取る読取装置１７、及び外部装置とデータの通信を行うインターフェース１８を備える。
【００９０】
体力判定装置２００は、インターフェース１８を介して超音波測定装置２と接続されている。超音波測定装置２は、ユーザの身体部位に装置を密着させることにより、身体部位の内部のエコー画像を示す画像データを出力する。エコー画像は、脂肪、筋肉、骨といった要素を色分けして表示する。体力判定装置２００は、超音波測定装置２で測定された身体部位の内部組織の画像データを取り込んで、ディスプレイ１５で表示するようになっている。この測定では、大腿部に超音波測定装置２を密着させることによって、皮下脂肪、大腿四頭筋、及び骨格などの内部組織を表す画像データが得られる。
スポーツジムのインストラクターは、ディスプレイ１５に表示される内部組織の画像を見ながら、入力部１４を用いて筋厚及び皮下脂肪厚を入力する。なお、画像処理ソフトを用いて筋厚及び皮下脂肪厚を自動的に入力するようにしてもよい。
【００９１】
ハードディスク１３には、体力判定プログラムＰＨ、筋厚評価テーブルＴＢＬ１１、脂肪厚評価テーブルＴＢＬ１２、処方テーブルＴＢＬ１３及び履歴テーブルＴＢＬ１４が記憶されている。本実施形態では、筋厚を５段階で評価し筋厚評価値ＭＤを生成する。筋厚評価テーブルＴＢＬ１１は、筋厚のグレーディングする基準となる閾値を記憶している。脂肪厚評価テーブルＴＢＬ１２は、脂肪厚のグレーディングする基準となる閾値を記憶している。また、判定テーブルＴＢＬ１５は、各種の評価値（例えば、体組成評価値、運動力評価値等の身体能力評価値）と、体力の判定結果（体力判定結果）を示す判定結果情報とを対応付けて記憶している。また、履歴テーブルＴＢＬ１４は、各種の評価値、判定結果情報、及び判定日を、ユーザを識別する識別情報（例えば、ユーザＩＤ）と対応づけて記憶している。
【００９２】
次に、図１２を参照して、ＣＰＵ１０が体力判定プログラムＰＨを実行することによって実現する体力判定装置２００の機能ブロックについて説明する。図１２は、体力判定装置２００の機能構成の一例を示す機能ブロック図である。
【００９３】
体力判定装置２００は、ユーザの身体能力測定に基づく身体能力評価値を取得する身体能力取得部１２１０と、身体能力取得部１２１０が取得した身体能力評価値に基づいてユーザの体力判定を行う判定結果情報出力部１１９０と、を備えている。身体能力取得部１２１０は、ユーザの運動力評価値ＥＤを受け付ける運動力受付部１１３０と、ユーザの所定の身体部位における体組成に基づく体組成情報（筋厚、脂肪厚等）の入力を受け付ける体組成情報受付部１２２０と、体組成情報受付部１２２０で受け付けた体組成情報に基づいて体組成評価値を決定する体組成評価部１２３０と、を備えている。
【００９４】
運動力受付部１１３０は、入力部１４によって入力される運動力評価値ＥＤを受け付けて判定結果情報出力部１１９０に供給する。ここで、運動力評価値ＥＤについて説明する。運動力評価値ＥＤは、運動力を評価した指標である。運動力の評価には各種の方法があり、例えば、第１、及び第２の実施形態で説明した歩幅の評価を適用することができる。歩幅の評価を適用する場合、歩幅評価値（例えば、歩幅年齢、歩幅年齢の実年齢との差など）に基づいて運動力評価値ＥＤが入力される。
【００９５】
図１３は、歩幅年齢に基づく運動力評価値ＥＤの評価基準の一例を示す図である。この図に示す例では、歩幅年齢に対して運動力評価値ＥＤの値が対応付けられており、例えば、歩幅年齢が２５歳〜２９歳の場合には、運動力評価値ＥＤは「５」となる。インストラクターは、ユーザの歩幅年齢から、運動力評価値ＥＤを特定し、入力部１４を用いて運動力評価値ＥＤを入力する。
【００９６】
なお、第１、及び第２の実施形態で説明した歩幅計測装置１００（１００Ａ）が決定した歩幅評価値（例えば、歩幅年齢、歩幅年齢の実年齢との差など）に基づいて運動力評価値ＥＤが入力部１４に入力されてもよいが、ユーザの歩幅を示す歩幅情報が入力部１４に入力されてもよい。例えば、体力判定装置２００が、第１、及び第２の実施形態で説明した歩幅評価部１５７及び歩幅評価テーブルＴＢＬ２と、図１３に示すような歩幅評価値（例えば、歩幅年齢）に対して運動力評価値ＥＤの値が対応付けられたデータテーブルと、を備えてもよい。そして、体力判定装置２００において、入力部１４によって入力される歩幅情報に基づいて歩幅評価値を決定し、決定した歩幅評価値に基づく運動力評価値ＥＤを、運動力受付部１１３０が受け付ける構成としてもよい。ここで、歩幅評価部１５７の機能は運動力受付部１１３０に備えられてもよい。
【００９７】
また、運動力の評価として、体重支持指数ＷＢＩに基づく評価を適用してもよい。このとき、例えば、体重支持指数ＷＢＩに基づく運動力を立ち上がり動作により判定してもよい。具体的には、ユーザがどの程度の高さの台に座った状態から、片脚又は両脚で立ち上がれることができるかによって判定する。図１４は、体重支持指数ＷＢＩに基づく運動力評価値ＥＤの評価基準の一例を示す図である。この図に示す例では、身長１７０ｃｍ以上か未満かで台の高さを異ならせてあり、左から２列目に身長１７０ｃｍ未満の場合の台の高さを示しており、左から３列目に身長１７０ｃｍ以上の場合の台の高さを示している。例えば、身長１７２ｃｍのユーザが片脚で高さ２５ｃｍの台から立ち上がることができるが、高さ１５ｃｍの台から立ち上がることができない場合には、運動力評価値ＥＤは「５」となる。インストラクターは、ユーザの立ち上がり動作から、運動力評価値ＥＤを特定し、入力部１４を用いて運動力評価値ＥＤを入力する。
【００９８】
上述したように、運動力受付部１１３０には、例えば、歩幅評価値または体重支持指数ＷＢＩに基づいて運動力評価値ＥＤが入力される。なお、歩幅評価値と体重支持指数ＷＢＩとのうちのいずれか一方に基づいて運動力評価値ＥＤが入力されてもよいし、両方に基づいて運動力評価値ＥＤが入力されてもよい。両方に基づいて運動力評価値ＥＤが入力される場合、歩幅評価値と体重支持指数ＷＢＩとの重みづけを同じにしてもよいし異ならせてもよい。
【００９９】
体組成情報受付部１２２０は、筋厚受付部１１１０と、脂肪厚受付部１１４０とを備えており、入力部１４によって入力される筋厚と脂肪厚とをそれぞれ受け付ける。また、体組成評価部１２３０は、筋厚評価部１１２０と、脂肪厚評価部１１５０とを備えており、筋厚受付部１１１０で受け付けた筋厚と、脂肪厚受付部１１４０で受け付けた脂肪厚とに基づいて、筋厚評価値ＭＤと脂肪厚評価値ＦＤとをそれぞれ決定して判定結果情報出力部１１９０に供給する。
【０１００】
具体的には、筋厚評価部１１２０は、筋厚評価テーブルＴＢＬ１１から読み出した閾値と筋厚受付部１１１０で受け付けた筋厚とを比較することにより筋厚評価値ＭＤを生成し、判定結果情報出力部１１９０に供給する。また、脂肪厚評価部１１５０は、脂肪厚評価テーブルＴＢＬ１２から読み出した閾値と脂肪厚受付部１１４０で受け付けた脂肪厚とを比較することにより脂肪厚評価値ＦＤを生成し、判定結果情報出力部１１９０に供給する。
【０１０１】
判定結果情報出力部１１９０は、判定テーブルＴＢＬ１５を参照して、運動力受付部１１３０から供給された運動力評価値ＥＤと、体組成評価部１２３０から供給された体組成評価値（筋厚評価値ＭＤと脂肪厚評価値ＦＤ）とに基づいて、ユーザの体力判定結果を示す判定結果情報ＪＤを生成する。つまり、判定結果情報出力部１１９０は、運動力評価値ＥＤと体組成評価値（筋厚評価値ＭＤと脂肪厚評価値ＦＤ）とに基づく総合判定を行い、その総合判定の結果をユーザの体力判定結果（体力診断結果）として生成する。
また、判定結果情報出力部１１９０は、生成した判定結果情報ＪＤをディスプレイ１５に表示させる。
【０１０２】
図１５及び図１６は、判定テーブルＴＢＬ１５のデータ構造の例を示す図である。図１５は、運動力評価値ＥＤと筋厚評価値ＭＤとに基づいて体力判定を行う際に参照される第１判定テーブルＴＢＬ１５ａの一例を示している。また、図１６は、第１判定テーブルＴＢＬ１５ａにより定まる運動力評価値ＥＤと筋厚評価値ＭＤとに基づく体力判定に対して、脂肪厚評価値ＦＤに基づいて補正した体力判定（総合判定）を行う際に参照される第２判定テーブルＴＢＬ１５ｂの一例を示している。
【０１０３】
この例では、運動力評価値ＥＤはＥＤ＝１〜６の６段階で評価されるものとする。筋厚評価値ＭＤはＭＤ＝１〜５の５段階で評価されるものとする。この図に示す例では、筋厚評価値ＭＤ＝１で「非常に薄い」、筋厚評価値ＭＤ＝２で「薄い」、筋厚評価値ＭＤ＝３で「標準」、筋厚評価値ＭＤ＝４で「厚い」、筋厚評価値ＭＤ＝５で「非常に厚い」といった評価とする。また、脂肪厚評価値ＦＤは、５段階で評価されるものとし、脂肪厚評価値ＦＤ＝５で「非常に薄い」、脂肪厚評価値ＦＤ＝４で「薄い」、脂肪厚評価値ＦＤ＝３で「標準」、脂肪厚評価値ＦＤ＝２で「厚い」、脂肪厚評価値ＦＤ＝１で「非常に厚い」といった評価とする。
【０１０４】
図１５に示す第１判定テーブルＴＢＬ１５ａは、６段階の運動力評価値ＥＤと５段階の筋厚評価値ＭＤとのそれぞれの組み合わせに対応づけられた判定結果情報ＪＤを記憶している。この図に示す例では、第１判定テーブルＴＢＬ１５ａには、６段階の運動力評価値ＥＤと５段階の筋厚評価値ＭＤとのそれぞれの組み合わせに、６段階（Ｓ、Ａ、Ｂ、Ｃ、Ｄ、Ｅ）にグレーディングされた体力レベルのいずれかが判定結果情報ＪＤとして対応付けられている。なお、ここでは、体力レベル「Ｓ、Ａ、Ｂ、Ｃ、Ｄ、Ｅ」の順に体力レベルが高い方から低い方へ６段階にグレーディングされている。
【０１０５】
例えば、運動力評価値ＥＤ＝６、筋厚評価値ＭＤ＝４の場合、判定結果情報出力部１１９０は、第１判定テーブルＴＢＬ１５ａを参照して体力レベル「Ｓ」を読み出す。また、運動力評価値ＥＤ＝１、筋厚評価値ＭＤ＝４の場合、判定結果情報出力部１１９０は、第１判定テーブルＴＢＬ１５ａを参照して体力レベル「Ｄ」を読み出す。
【０１０６】
続いて、判定結果情報出力部１１９０は、第１判定テーブルＴＢＬ１５ａを参照して読み出した体力レベルに対して脂肪厚評価値ＦＤに基づいて補正された体力レベルを、第２判定テーブルＴＢＬ１５ｂを参照して読み出して、最終的な体力判定（総合判定）結果としての判定結果情報ＪＤを生成する。
【０１０７】
図１６に示す第２判定テーブルＴＢＬ１５ｂには、６段階の運動力評価値ＥＤと５段階の筋厚評価値ＭＤとに基づく体力判定結果（体力レベル）と、脂肪厚評価値ＦＤとのそれぞれの組み合わせに、６段階（Ｓ、Ａ、Ｂ、Ｃ、Ｄ、Ｅ）にグレーディングされた体力レベルのいずれかが判定結果情報ＪＤとして対応付けられている。
【０１０８】
例えば、運動力評価値ＥＤ＝６、筋厚評価値ＭＤ＝４の場合、判定結果情報出力部１１９０は、第１判定テーブルＴＢＬ１５ａを参照して体力レベル「Ｓ」を読み出すが、脂肪厚評価値ＦＤ＝２の場合には、第２判定テーブルＴＢＬ１５ｂを参照して体力レベル「Ａ」を最終的な体力判定（総合判定）結果として判定結果情報ＪＤを生成する。また、判定結果情報出力部１１９０は、生成した判定結果情報ＪＤ（ここでは、体力レベル「Ａ」）をディスプレイ１５に表示させる。
【０１０９】
なお、判定結果情報出力部１１９０が出力する判定結果情報ＪＤは、体力レベル（Ｓ、Ａ、Ｂ、Ｃ、Ｄ、Ｅ）であってもよいが、各体力レベルに対応するテキストであてもよい。例えば、判定テーブルＴＢＬ１５には、各体力レベルに代えて又は各体力レベルに加えて、各体力レベルに対応するテキストが記憶されていてもよく、判定結果情報出力部１１９０は、判定テーブルＴＢＬ１５から読み出した各体力レベルに対応するテキストをディスプレイ１５に表示させてもよい。
例えば、体力レベル「Ｂ」に対応する判定結果情報ＪＤは、「日常生活にはまったく問題なくリクリエーションやスポーツを行える身体のコンディションです。但し積極的に運動に取り組むにはやや筋力が不足しています。」といったテキストで構成されてもよい。
【０１１０】
図１２に戻り、閲覧受付部１１７０は、入力部１４によって入力される閲覧指示を受け付けて閲覧情報出力部１１８０に供給する。この閲覧指示には、ユーザを識別する識別情報（例えば、ユーザＩＤ）が含まれている。履歴テーブルＴＢＬ１４には、判定結果情報出力部１１９０が判定結果情報ＪＤを出力する度に、体組成評価値、運動力評価値ＥＤ、判定結果情報ＪＤ、及び処方日が、ユーザＩＤと対応づけられて記憶される。閲覧情報出力部１１８０は、閲覧受付部１１７０が閲覧指示を受け付けると、履歴テーブルＴＢＬ１４から、閲覧対象のユーザのユーザＩＤに対応する体組成評価値、運動力評価値ＥＤ、判定結果情報ＪＤ、及び処方日を読み出して閲覧情報Ｘとして、ディスプレイ１５に出力する。これにより、ユーザは、過去の判定結果情報ＪＤなどを知ることができ、過去の体力や過去から現在に至る体力の変化を確認することができる。
【０１１１】
〔まとめ〕
以上説明したように、本実施形態による体力判定装置２００は、体組成評価部１２３０と、運動力受付部１１３０と、判定結果情報出力部１１９０（結果情報出力部の一例）と、を備えている。体組成評価部１２３０は、ユーザの所定の身体部位における体組成に基づく体組成評価値を決定する。運動力受付部１１３０は、ユーザの運動力評価値ＥＤの入力を受け付ける。ここで、運動力評価値ＥＤには、少なくとも歩幅評価値（例えば、歩幅年齢）に基づく評価値が含まれる。そして、判定結果情報出力部１１９０は、運動力評価値ＥＤ及び体組成評価値に基づいてユーザの体力判定結果を示す判定結果情報を、結果情報として出力する。
【０１１２】
これにより、本実施形態による体力判定装置２００は、ユーザの歩幅のみに限らず、歩幅以外を指標とした運動力評価値ＥＤ、または体組成評価値を加味して、ユーザの体力判定を行うことが可能である。よって、体力判定装置２００は、より詳しく体力判定を行った体力判定結果をユーザに提示することができる。
【０１１３】
なお、運動力受付部１１３０は、歩幅評価値に基づく運動力評価値ＥＤを受け付けてもよいし、歩幅情報または歩幅評価値を受け付けてもよい。運動力受付部１１３０は、歩幅情報または歩幅評価値を受け付ける場合、受け付けた歩幅情報または歩幅評価値に基づいて運動力評価値ＥＤを判定結果情報出力部１１９０に供給してもよい。なお、体力判定装置２００は、ユーザの歩幅に基づいて当該ユーザの歩幅評価値を決定する歩幅評価部（例えば、図１及び図８に示す歩幅評価部１５７に相当する構成）を備えた構成としてもよい。そして、体力判定装置２００は、歩幅情報を受け付ける場合、受け付けた歩幅情報に基づいて歩幅評価値を決定し、決定した歩幅評価値に基づいて運動力評価値ＥＤを判定結果情報出力部１１９０に供給してもよい。
【０１１４】
＜第４の実施形態＞
次に、本発明の第４の実施形態について説明する。
上述した第２の実施形態では、運動処方装置の一例として、歩幅を計測し、計測した歩幅に基づいて運動メニューを提示する携帯型の歩幅計測装置１００Ａについて説明した。本実施形態では、スポーツジムなどでユーザに運動メニューを提示する場合に用いられる運動処方システム３を例として説明する。
【０１１５】
図１７は、本実施形態による運動処方システム３の構成の一例を示す概略ブロック図である。運動処方システム３は、運動処方装置３００と超音波測定装置２とを備える。この運動処方装置３００は、歩幅に基づいてユーザに運動メニューを提示することのみに限らず、歩幅以外を指標とした運動力評価値、または体組成評価値を加味して、ユーザに運動メニューを提示することが可能である。
【０１１６】
運動処方装置３００は、ハードディスク１３に、運動処方プログラムＰＭと、処方テーブルＴＢＬ１３とが記憶されている点を除いて、図１１に示す体力判定装置２００と同様に構成されている。処方テーブルＴＢＬ１３には、各種の評価値と、運動メニューを示す処方情報とが対応付けられている。なお、本実施形態では、履歴テーブルＴＢＬ１４には、各種の評価値、処方情報、及び判定日が、ユーザを識別する識別情報（例えば、ユーザＩＤ）と対応付けられる。
【０１１７】
次に、図１８を参照して、ＣＰＵ１０が運動処方プログラムＰＭを実行することによって実現する運動処方装置３００の機能ブロックについて説明する。図１８は、運動処方装置３００の機能構成の一例を示す機能ブロック図である。
【０１１８】
図１８に示す運動処方装置３００は、判定テーブルＴＢＬ１５と判定結果情報出力部１１９０とに代えて処方テーブルＴＢＬ１３と処方情報出力部１１６０とを備えている点を除いて、図１２に示す体力判定装置２００と同様の構成である。
【０１１９】
身体能力取得部１２１０は、運動力受付部１１３０と、体組成情報受付部１２２０と、体組成評価部１２３０とを備え、取得した各種の評価値を処方情報出力部１１６０に供給する。例えば、運動力受付部１１３０は、入力部１４によって入力される運動力評価値ＥＤを受け付けて処方情報出力部１１６０に供給する。ここで、運動力評価値ＥＤには、歩幅評価値に基づく評価値が含まれる。なお、運動力受付部１１３０は、入力部１４によって入力される歩幅情報または歩幅評価値を受け付けて、受け付けた歩幅情報または歩幅評価値に基づいて運動力評価値ＥＤを判定結果情報出力部１１９０に供給してもよい。
【０１２０】
また、体組成評価部１２３０は、体組成情報受付部１２２０で受け付けた体組成情報に基づいて、体組成評価値を決定して処方情報出力部１１６０に供給する。具体的には、筋厚評価部１１２０は、筋厚受付部１１１０で受け付けた筋厚に基づいて、筋厚評価値ＭＤを決定して処方情報出力部１１６０に供給する。また、脂肪厚評価部１１５０は、脂肪厚受付部１１４０で受け付けた脂肪厚に基づいて、脂肪厚評価値ＦＤを決定して処方情報出力部１１６０に供給する。
【０１２１】
処方情報出力部１１６０は、判定テーブルＴＢＬ１５を参照して、運動力受付部１１３０から供給された運動力評価値ＥＤと、体組成評価部１２３０から供給された体組成評価値（筋厚評価値ＭＤと脂肪厚評価値ＦＤ）とに基づいて、処方情報ＩＮＦを生成する。また、処方情報出力部１１６０は、生成した処方情報ＩＮＦをディスプレイ１５に表示させる。
【０１２２】
図１９は、処方テーブルＴＢＬ１３のデータ構造の例を示す図である。この図に示す処方テーブルＴＢＬ１３は、脂肪厚評価値ＦＤ＝１に対応する第１処方テーブルＴＢＬ１３ａ、脂肪厚評価値ＦＤ＝２に対応する第２処方テーブルＴＢＬ１３ｂ、及び脂肪厚評価値ＦＤ＝３に対応する第３処方テーブルＴＢＬ１３ｃを含む。
また、第１処方テーブルＴＢＬ１３ａ、第２処方テーブルＴＢＬ１３ｂ、及び第３処方テーブルＴＢＬ１３ｃの各々は、６段階の運動力評価値ＥＤと５段階の筋厚評価値ＭＤとに対応づけられた３０個の処方情報ＩＮＦ１１〜ＩＮＦ６５を記憶している。
処方情報出力部１１６０は、脂肪厚評価値ＦＤに基づいて第１処方テーブルＴＢＬ１３ａ、第２処方テーブルＴＢＬ１３ｂ、及び第３処方テーブルＴＢＬ１３ｃうちの一つを特定し、さらに、特定したテーブルを参照して、筋厚評価値ＭＤ及び運動力評価値ＥＤに対応する処方情報ＩＮＦを読み出す。これにより、処方情報出力部１１６０は、９０通りの処方情報ＩＮＦを生成することが可能となる。
【０１２３】
例えば、運動力評価値ＥＤ＝４、筋厚評価値ＭＤ＝３、脂肪厚評価値ＦＤ＝１の場合、処方情報出力部１１６０は、第１処方テーブルＴＢＬ１３ａを参照して、処方情報ＩＮＦ４３を読み出す。処方情報ＩＮＦ４３は、例えば、「日常生活にはまったく問題なくリクリエーションやスポーツを行える身体のコンディションです。但し積極的に運動に取り組むにはやや筋力が不足しています。ストレッチングをしっかり行い疲労の軽減に注意してみましょう。ウォーキングやゆっくりとしたジョギング（６ｋｍ／ｈ）などから始めるのがオススメです。エアロビクスならジャンプしない動作が中心のローインパクトクラスから始めましょう。太腿の筋肉量は標準ですが４０代から急激に衰えていきます。是非エクササイズを始めましょう。レッグエクステンション×１０回×３セットです。体脂肪がやや多いのでダイエットか有酸素運動に取り組んでみましょう。体脂肪を減少させることでより身体を軽くすることが出来ます。」といったテキストで構成される。
【０１２４】
図１８に戻り、閲覧受付部１１７０は、入力部１４によって入力される閲覧指示を受け付けて閲覧情報出力部１１８０に供給する。この閲覧指示には、ユーザを識別する識別情報（例えば、ユーザＩＤ）が含まれている。履歴テーブルＴＢＬ１４には、処方情報出力部１１６０が処方情報ＩＮＦを出力する度に、筋厚評価値ＭＤ、運動力評価値ＥＤ、処方情報ＩＮＦ、及び処方日が、ユーザＩＤと対応づけられて記憶される。閲覧情報出力部１１８０は、閲覧受付部１１７０が閲覧指示を受け付けると、履歴テーブルＴＢＬ１４から、閲覧対象のユーザのユーザＩＤに対応する筋厚評価値ＭＤ、運動力評価値ＥＤ、処方情報ＩＮＦ、及び処方日を読み出して閲覧情報Ｘとして、ディスプレイ１５に出力する。これにより、ユーザは、過去の処方情報ＩＮＦなどを知ることができ、運動処方の効果を確認することができる。
【０１２５】
〔まとめ〕
以上説明したように、本実施形態による運動処方装置３００は、体組成評価部１２３０と、運動力受付部１１３０と、処方情報出力部１１６０（結果情報出力部の一例）と、を備えている。体組成評価部１２３０は、ユーザの所定の身体部位における体組成に基づく体組成評価値を決定する。運動力受付部１１３０は、ユーザの運動力評価値ＥＤの入力を受け付ける。ここで、運動力評価値ＥＤには、少なくとも歩幅評価値（例えば、歩幅年齢）に基づく評価値が含まれる。そして、処方情報出力部１１６０は、運動力評価値ＥＤ、及び体組成評価値に基づいて、ユーザに提示する運動メニュー（運動処方の一例）を示す処方情報を出力する。
【０１２６】
これにより、本実施形態による運動処方装置３００は、ユーザの歩幅のみに限らず、歩幅以外を指標とした運動力評価値ＥＤ、または体組成評価値を加味して、ユーザに運動処方を行うことが可能である。よって、運動処方装置３００は、より総合的な運動メニューをユーザに提示することができる。
【０１２７】
なお、運動力受付部１１３０は、歩幅評価値に基づく運動力評価値ＥＤを受け付けてもよいし、歩幅情報または歩幅評価値を受け付けてもよい。運動力受付部１１３０は、歩幅情報または歩幅評価値を受け付ける場合、受け付けた歩幅情報または歩幅評価値に基づいて運動力評価値ＥＤを処方情報出力部１１６０に供給してもよい。なお、運動処方装置３００は、ユーザの歩幅に基づいて当該ユーザの歩幅評価値を決定する歩幅評価部（例えば、図１及び図８に示す歩幅評価部１５７に相当する構成）を備えた構成としてもよい。そして、運動処方装置３００は、歩幅情報を受け付ける場合、受け付けた歩幅情報に基づいて歩幅評価値を決定し、決定した歩幅評価値に基づいて運動力評価値ＥＤを処方情報出力部１１６０に供給してもよい。
【０１２８】
＜第５の実施形態＞
次に、本発明の第５の実施形態について説明する。
本実施形態では、第３の実施形態に係る体力判定システム１が備える体力判定装置２００が生成する判定結果情報ＪＤに基づいて処方情報ＩＮＦを生成する運動処方装置３００Ａについて説明する。
【０１２９】
図２０は、本実施形態による運動処方装置３００Ａの機能構成の一例を示す機能ブロック図である。運動処方装置３００Ａは、第３の実施形態で説明した体力判定装置２００と、第４の実施形態で説明した処方情報出力部１１６０及び処方テーブルＴＢＬ１３と、を備えている。体力判定装置２００は、判定結果情報ＪＤを出力して処方情報出力部１１６０に供給する。処方情報出力部１１６０は、体力判定装置２００から供給された判定結果情報ＪＤに基づいて処方情報ＩＮＦを生成する。
【０１３０】
ここでは、処方テーブルＴＢＬ１３は、判定結果情報ＪＤと処方情報ＩＮＦとを対応付けて記憶している。例えば、処方テーブルＴＢＬ１３は、６段階の体力レベルのそれぞれに対応づけられた処方情報ＩＮＦを記憶している。処方情報出力部１１６０は、処方テーブルＴＢＬ１３を参照して、体力判定装置２００から供給された判定結果情報ＪＤに対応づけられた処方情報ＩＮＦを読み出す。
【０１３１】
このように、本実施形態によれば、運動処方装置３００Ａは、体力判定装置２００が出力する判定結果情報ＪＤ（結果情報の一例）に基づいて、運動処方を示す処方情報ＩＮＦを出力する処方情報出力部１１６０を備えている。
【０１３２】
つまり、運動処方装置３００Ａは、身体能力評価値に基づいて生成された判定結果情報ＪＤに基づいて、処方情報ＩＮＦを生成することができるため、上述した第４の実施形態の運動処方装置３００と同様にユーザに適した運動メニューを提示することができる。
【０１３３】
なお、運動処方装置３００Ａは、第２の実施形態による体力判定装置２００を内蔵した構成としてもよいし、体力判定装置２００を外部装置として備え、その外部装置としての体力判定装置２００が生成した判定結果情報ＪＤを、有線又は無線通信、或いは可搬可能な記憶媒体を介して取得してもよい。そして、運動処方装置３００Ａは、取得した判定結果情報ＪＤに基づいて、運動処方を示す処方情報ＩＮＦを出力する構成としてもよい。また、運動処方装置３００Ａは、図１に示す歩幅計測装置１００の結果情報出力部１５８が出力する結果情報を取得し、取得した判定結果情報ＪＤに基づいて、運動処方を示す処方情報ＩＮＦを出力する構成としてもよい。
【０１３４】
＜第６の実施形態＞
次に、本発明の第６の実施形態について説明する。
上述した第３から第５の実施形態では、体力判定装置２００または運動処方装置３００、３００Ａは、スポーツジムなどに設置されることを前提としたが、これに限られるものではなく、図２１または図２２に示すようにインターネットなどの通信網ＮＥＴを介してインストラクターが管理する端末装置４００と接続されるものであってもよい。この場合、体力判定装置２００または運動処方装置３００、３００Ａは、サーバ装置として機能し、端末装置４００で入力される体組成情報、及び運動力評価値ＥＤを、通信インターフェース１６を介して受け付けて、判定結果情報ＪＤまたは処方情報ＩＮＦを端末装置４００に返信してもよい。
【０１３５】
また、端末装置４００はユーザが利用する装置であってもよい。例えば、端末装置４００は、第１、第２の実施形態で説明したような歩幅計測装置１００、１００Ａであってもよい。この場合、体力判定装置２００または運動処方装置３００、３００Ａは、サーバ装置として機能し、歩幅計測装置１００、１００Ａから歩幅評価値または結果情報（評価結果や体力判定結果）を取得して管理してもよい。また、体力判定装置２００または運動処方装置３００、３００Ａは、歩幅計測装置１００、１００Ａから歩幅評価値を受け付けて、体組成情報（筋厚、脂肪厚等）及び運動力評価値ＥＤなどを加味して生成した判定結果情報ＪＤまたは処方情報ＩＮＦを歩幅計測装置１００、１００Ａに返信してもよい。これにより、ユーザは、自身の所持する歩幅計測装置１００、１００Ａで計測した歩幅以外の情報も加味した、体力判定結果や運動処方などを受け取ることができる。
【０１３６】
なお、端末装置４００は、歩幅計測装置１００、１００Ａから歩幅評価部１５７、結果情報出力部１５８、または処方情報出力部１５９を除いた構成（単に歩幅計測を行う歩幅計測装置）としてもよい。そして、歩幅評価部１５７、結果情報出力部１５８、または処方情報出力部１５９に相当する構成を、体力判定装置２００または運動処方装置３００、３００Ａが備えてもよい。例えば、体力判定装置２００の判定結果情報出力部１１９０が結果情報出力部１５８の機能を有し、処方情報出力部１１６０が処方情報出力部１５９の機能を有してもよい。この場合、体力判定装置２００または運動処方装置３００、３００Ａは、ユーザが端末装置４００で計測した歩幅を示す情報を受け付けて、受け付けた歩幅を示す情報に基づいて歩幅評価値、判定結果情報ＪＤ、または処方情報ＩＮＦを生成して端末装置４００に返信してもよい。これにより、ユーザは、自身の所持する端末装置４００で計測した歩幅に基づいて、歩幅の評価結果、体力判定結果、運動処方などを受け取ることができる。
【０１３７】
また、ユーザの端末装置４００からの閲覧指示を、体力判定装置２００または運動処方装置３００、３００Ａが受け付けてもよい。この場合、通信インターフェース１６は、ユーザの端末装置４００と通信可能な通信部として機能し、閲覧受付部１１７０は、通信インターフェース１６を用いてユーザの閲覧指示を受け付け、閲覧情報出力部１１８０は、通信インターフェース１６を用いて閲覧情報Ｘをユーザの端末装置４００に出力すればよい。これにより、ユーザは端末装置４００を操作することによって、過去の履歴情報を閲覧することができる。
【０１３８】
以上、この発明の実施形態について図面を参照して詳述してきたが、具体的な構成は上述の実施形態に限られるものではなく、この発明の要旨を逸脱しない範囲の設計等も含まれる。例えば、上述の第１から６の実施形態において説明した各機能は、任意に組み合わせることができる。
【０１３９】
なお、上記第３から第６の実施形態で説明した体力判定装置２００、または運動処方装置３００（３００Ａ）は、身長受付部、体重受付部、性別受付部、または年齢区分取得部を備え、受け付けたユーザの身長、体重、性別、または取得したユーザの年齢を体組成評価部１２３０、または運動力受付部１１３０に供給してもよい。例えば、体組成評価部１２３０、または運動力受付部１１３０は、ユーザの身長、体重、性別、または年齢を加味して、体組成評価値や運動評価値ＥＤを生成または変更してもよい。また、判定結果情報出力部１１９０、または処方情報出力部１１６０は、上述のユーザの身長、体重、性別、または年齢を加味して、判定結果情報ＪＤまたは処方情報ＩＮＦを生成してもよい。
【０１４０】
また、体力判定装置２００、または運動処方装置３００（３００Ａ）は、ユーザの運動目標（目的）や運動内容等のニーズを加味して、判定結果情報ＪＤまたは処方情報ＩＮＦを生成してもよい。例えば、体力判定装置２００、または運動処方装置３００（３００Ａ）は、運動目標や運動内容等のニーズをユーザに問診するための問診情報を記憶している問診テーブルと、問診情報に対するユーザの問診結果を受け付ける問診結果受付部と、をさらに備えた構成としてもよい。そして、判定結果情報出力部１１９０または処方情報出力部１１６０は、問診結果を加味して、判定結果情報ＪＤまたは処方情報ＩＮＦを生成してもよい。
【０１４１】
なお、図１に示す制御部１５０及び図２に示す制御部１５０Ａがそれぞれ備える構成の一部または全部の機能を実現するためのプログラムをコンピュータ読み取り可能な記録媒体に記録して、この記録媒体に記録されたプログラムをコンピュータシステムに読み込ませ、実行することにより上述の制御部１５０及び制御部１５０Ａがそれぞれ備える構成の一部または全部の機能を実現してもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
【０１４２】
例えば、図１に示す歩幅計測部１５６、歩幅評価部１５７、及び結果情報出力部１５８の機能、または歩幅評価部１５７、及び結果情報出力部１５８の機能を実現するためのプログラムをコンピュータシステムに読み込ませ、実行することにより上述の歩幅計測部１５６、歩幅評価部１５７、及び結果情報出力部１５８の機能または歩幅評価部１５７、及び結果情報出力部１５８の機能を実現してもよい。一例としてのこの機能を実現するためのプログラムは、体力判定装置の一例としての歩幅計測装置１００として機能するスマートフォンにインストールされる歩幅計測処理を実行するアプリケーションのプログラムであってもよい。
また、図８に示す歩幅計測部１５６、歩幅評価部１５７、結果情報出力部１５８、及び処方情報出力部１５９の機能、または歩幅評価部１５７、及び処方情報出力部１５９の機能を実現するためのプログラムは、運動処方装置の一例としての歩幅計測装置１００Ａとして機能するスマートフォンにインストールされる歩幅計測処理を実行するアプリケーションのプログラムであってもよい。
【０１４３】
また、図１１に示す体力判定プログラムＰＨまたは図１７に示す運動処方プログラムＰＭ（以下、単に「プログラム」ともいう）をコンピュータ読み取り可能な記録媒体に記録して、この記録媒体に記録されたプログラムをコンピュータシステムに読み込ませ、実行することにより図１１及び図１２に示す体力判定装置２００または図１７及び図１８に示す運動処方装置３００（以下、単に「装置」ともいう）の機能を実現してもよい。
【０１４４】
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、装置で実行可能な形式のプログラムのコードと異なるものでもよい。すなわち、配信サーバからダウンロードされて装置で実行可能な形でインストールができるものであれば、配信サーバで記憶される形式は問わない。なお、プログラムを複数に分割し、それぞれ異なるタイミングでダウンロードした後に装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【０１４５】
また、上述した機能の一部または全部を、ＬＳＩ（Ｌａｒｇｅ  Ｓｃａｌｅ  Ｉｎｔｅｇｒａｔｉｏｎ）等の集積回路として実現してもよい。上述した各機能は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１４６】
〔付記１〕
以上のような記載から本発明の一態様は、ユーザの歩幅に基づいて当該ユーザの歩幅評価値を決定する歩幅評価部（１５７）と、前記歩幅評価部が決定した前記歩幅評価値に基づいて前記ユーザの歩幅の評価結果を示す結果情報を出力する結果情報出力部（１５８）と、を備えることを特徴とする体力判定装置（例えば、歩幅計測装置１００、体力判定装置２００）として把握することができる。
【０１４７】
付記１の構成によれば、ユーザの歩幅の評価結果をユーザに提示することができるため、歩幅の計測結果を有効に利用することができる。
【０１４８】
〔付記２〕
また、本発明の一態様として、前記歩幅評価部は、前記歩幅評価値として、前記ユーザの歩幅に基づいて歩幅年齢を決定し、前記結果情報出力部は、前記歩幅評価部が決定した前記歩幅年齢に基づく情報を、前記結果情報として出力することを特徴とする付記１に記載の体力判定装置としてもよい。
【０１４９】
付記２の構成によれば、ユーザの歩幅に基づく歩幅年齢をユーザに提示することができるため、感覚的にわかりやすい指標で歩幅の評価結果をユーザに提示することができる。
【０１５０】
〔付記３〕
また、本発明の一態様として、前記歩幅評価部は、年齢に基づいた標準的な歩幅を示す標準歩幅情報に基づいて、前記ユーザの歩幅に対応する前記標準的な歩幅に対応する前記年齢を、前記歩幅年齢として決定することを特徴とする付記２に記載の体力判定装置としてもよい。
【０１５１】
付記３の構成によれば、年齢に基づいた標準的な歩幅によりユーザの歩幅年齢を決定するため、適切な歩幅年齢をユーザに提示することができる。
【０１５２】
〔付記４〕
また、本発明の一態様として、前記標準歩幅情報として、前記年齢を示す情報と前記標準的な歩幅を示す情報とが関連付けられたデータテーブル（一例として歩幅評価テーブルＴＢＬ２）が記憶部に記憶されており、前記歩幅評価部は、前記記憶部に記憶されている前記データテーブルを参照して、前記ユーザの歩幅に対応する前記標準的な歩幅に関連付けられている前記年齢を、前記歩幅年齢として決定することを特徴とする付記３に記載の体力判定装置としてもよい。
【０１５３】
付記４の構成によれば、年齢を示す情報と標準的な歩幅を示す情報とが関連付けられたデータテーブルを参照することにより、ユーザの歩幅年齢を決定するため、複雑な演算処理などを用いることなく適切な歩幅年齢をユーザに提示することができる。
【０１５４】
〔付記５〕
また、本発明の一態様として、前記標準歩幅情報において、前記標準的な歩幅は、前記年齢に加えて身長又は性別に基づいて定められており、前記歩幅評価部は、前記ユーザの歩幅と前記ユーザの身長又は性別とに基づいて、前記歩幅年齢を決定することを特徴とする付記３または４に記載の体力判定装置としてもよい。
【０１５５】
付記５の構成によれば、ユーザの身長差や性別を加味して適切な歩幅年齢を決定することができる。
【０１５６】
〔付記６〕
また、本発明の一態様として、前記結果情報出力部は、前記歩幅評価部が決定した前記歩幅年齢と前記ユーザの実年齢とに基づいて、前記歩幅年齢と前記実年齢との差を示す情報を、前記結果情報として出力することを特徴とする付記２から５の何れか一つに記載の体力判定装置としてもよい。
【０１５７】
付記６の構成によれば、歩幅年齢と実年齢との差を示す情報を提示することができるため、感覚的にわかりやすい指標で歩幅の評価結果をユーザに提示することができる。
【０１５８】
〔付記７〕
また、本発明の一態様として、前記結果情報出力部は、前記歩幅評価部が決定した前記歩幅年齢に基づいて、前記ユーザの体力判定結果を示す判定結果情報を、前記結果情報として出力することを特徴とする付記２から６の何れか一つに記載の体力判定装置としてもよい。
【０１５９】
付記７の構成によれば、歩幅年齢に基づいた体力判定結果をユーザに提示する。ここで、歩幅年齢はユーザの歩幅に基づいて決定されたものである。よって、付記７の構成によれば、歩幅の計測結果を有効に利用することができる。
【０１６０】
〔付記８〕
また、本発明の一態様として、前記結果情報出力部は、前記歩幅評価部が決定した前記歩幅年齢と前記ユーザの実年齢との差に基づいて、前記ユーザの体力判定結果を示す判定結果情報を、前記結果情報として出力することを特徴とする付記２から７の何れか一つに記載の体力判定装置としてもよい。
【０１６１】
付記８の構成によれば、歩幅年齢と実年齢との差に基づいた体力判定結果をユーザに提示する。ここで、歩幅年齢と実年齢との差はユーザの歩幅に基づいて算出されたものである。よって、付記８の構成によれば、歩幅の計測結果を有効に利用することができる。
【０１６２】
〔付記９〕
また、本発明の一態様として、前記ユーザの歩幅を示す歩幅情報の入力を受け付ける歩幅情報受付部（例えば、入力受付部１５２、運動力受付部１１３０）、を備え、前記歩幅評価部は、前記歩幅情報受付部が受け付けた前記歩幅情報に基づいて前記歩幅評価値を決定することを特徴とする付記１から８の何れか一つに記載の体力判定装置としてもよい。
【０１６３】
付記９の構成によれば、歩幅情報の入力を受け付けるため、例えばユーザが他の装置で計測した歩幅を入力することにより、入力された歩幅の評価結果をユーザに提示することができる。
【０１６４】
〔付記１０〕
また、本発明の一態様として、前記ユーザの歩幅を計測する歩幅計測部（１５６）、を備え、前記歩幅評価部は、前記歩幅計測部が計測した前記ユーザの歩幅に基づいて前記歩幅評価値を決定することを特徴とする付記１から８の何れか一つに記載の体力判定装置としてもよい。
【０１６５】
付記１０の構成によれば、計測した歩幅の評価結果を提示することができるのみならず、ユーザの歩幅の計測も行うことができる。
【０１６６】
〔付記１１〕
また、本発明の一態様として、ユーザの所定の身体部位における体組成に基づく体組成評価値を決定する体組成評価部（１２３０）と、前記ユーザの運動力評価値の入力を受け付ける運動力受付部（１１３０）と、を備え、前記運動力評価値には、少なくとも前記歩幅評価値に基づく評価値が含まれ、前記結果情報出力部（一例として判定結果情報出力部１１９０）は、前記運動力評価値、及び前記体組成評価値に基づいて前記ユーザの体力判定結果を示す判定結果情報を、前記結果情報として出力することを特徴とする付記１から１０の何れか一つに記載の体力判定装置（例えば、体力判定装置２００）としてもよい。
【０１６７】
付記１１の構成によれば、ユーザの歩幅のみに限らず、歩幅以外を指標とした運動力評価値、または体組成評価値を加味して、ユーザの体力判定を行うことが可能であるため、より詳しく体力判定を行った体力判定結果をユーザに提示することができる。
【０１６８】
〔付記１２〕
また、本発明の一態様は、ユーザの所定の身体部位における体組成に基づく体組成評価値を決定する体組成評価部と、前記ユーザの歩幅に基づいて決定された歩幅評価値に基づく評価値が少なくとも含まれる運動力評価値の入力を受け付ける運動力受付部と、前記運動力評価値、及び前記体組成評価値に基づいて前記ユーザの体力判定結果を示す判定結果情報を結果情報として出力する結果情報出力部と、を備えることを特徴とする体力判定装置（例えば、体力判定装置２００）として把握することができる。
【０１６９】
付記１２の構成によれば、歩幅評価部を備えずに、他の装置で決定された歩幅評価値を受け付けるとともに、歩幅評価値のみに限らず、歩幅以外を指標とした運動力評価値、または体組成評価値を加味して、ユーザの体力判定を行うことが可能である。よって、付記１２の構成によれば、他の装置で決定された歩幅評価値に基づいて、より詳しく体力判定を行った体力判定結果をユーザに提示することができる。
【０１７０】
〔付記１３〕
また、本発明の一態様として、前記ユーザの歩幅に基づいて前記歩幅評価値を決定する歩幅評価部、を備えることを特徴とする付記１２に記載の体力判定装置としてもよい。
【０１７１】
付記１３の構成によれば、他の装置で計測された歩幅に基づいて歩幅評価値を決定することができるため、歩幅評価値がわからなくとも歩幅がわかれば、詳しく体力判定を行った体力判定結果をユーザに提示することができる。
【０１７２】
〔付記１４〕
また、本発明の一態様は、付記１から１３の何れか一つに記載の体力判定装置が出力する前記結果情報に基づいて運動処方を示す処方情報を出力する処方情報出力部（１１６０）、を備えることを特徴とする運動処方装置（例えば、運動処方装置３００Ａ）として把握することもできる。
【０１７３】
付記１４の構成によれば、体力判定装置が出力する結果情報に基づいて、ユーザに適した運動メニューを提示することができる。
【０１７４】
〔付記１５〕
また、本発明の一態様は、ユーザの歩幅に基づいて決定された歩幅評価値に基づいて、運動処方を示す処方情報を出力する処方情報出力部（１５９、１１６０）、を備えることを特徴とする運動処方装置（例えば、歩幅計測装置１００Ａ、運動処方装置３００）として把握することもできる。
【０１７５】
付記１５の構成によれば、ユーザの歩幅に基づいてユーザに適した運動メニューを提示することができるため、歩幅の計測結果を有効に利用することができる。
【０１７６】
〔付記１６〕
また、本発明の一態様として、前記ユーザの歩幅に基づいて当該ユーザの歩幅評価値を決定する歩幅評価部を備え、前記処方情報出力部（１５９）は、前記歩幅評価部が決定した前記歩幅評価値に基づいて、運動処方を示す処方情報を出力することを特徴とする付記１５に記載の運動処方装置（例えば、歩幅計測装置１００Ａ）としてもよい。
【０１７７】
付記１６の構成によれば、ユーザの歩幅の計測結果に基づいてユーザに適した運動メニューを提示することができるため、歩幅の計測結果を有効に利用することができる。
【０１７８】
〔付記１７〕
また、本発明の一態様として、ユーザの所定の身体部位における体組成に基づく体組成評価値を決定する体組成評価部と、前記ユーザの運動力評価値の入力を受け付ける運動力受付部と、を備え、前記運動力評価値には、少なくとも前記歩幅評価値に基づく評価値が含まれ、前記処方情報出力部は、前記運動力評価値、及び前記体組成評価値に基づいて、運動処方を示す処方情報を出力することを特徴とする付記１４から１６の何れか一つに記載の運動処方装置（例えば、運動処方装置３００、運動処方装置３００Ａ）としてもよい。
【０１７９】
付記１７の構成によれば、ユーザの歩幅のみに限らず、歩幅以外を指標とした運動力評価値ＥＤ、または体組成評価値を加味して、ユーザに運動処方を行うことが可能であるため、より総合的な運動メニューをユーザに提示することができる。
【０１８０】
なお、付記１５の運動処方装置に付記１７の構成を適用した場合、歩幅評価部を備えない構成としてもよい。この場合の付記１７の構成によれば、他の装置で決定された歩幅評価値を受け付けるとともに、歩幅評価値のみに限らず、歩幅以外を指標とした運動力評価値、または体組成評価値を加味して、ユーザに運動処方を行うことが可能であるため、総合的な運動メニューをユーザに提示することができる。
【０１８１】
また、付記１６の運動処方装置に付記１７の構成を適用した場合、他の装置で計測された歩幅に基づいて歩幅評価値を決定することができるため、歩幅評価値がわからなくとも歩幅がわかれば、総合的な運動メニューをユーザに提示することができる。
【０１８２】
〔付記１８〕
また、本発明の一態様は、体力判定装置の体力判定方法であって、ユーザの歩幅に基づいて当該ユーザの歩幅評価値を決定するステップと、前記決定した前記歩幅評価値に基づいて前記ユーザの歩幅の評価結果を示す結果情報を出力するステップと、を含むことを特徴とする体力判定方法として把握することもできる。
【０１８３】
付記１８の構成によれば、ユーザの歩幅の評価結果をユーザに提示することができるため、歩幅の計測結果を有効に利用することができる。
【０１８４】
〔付記１９〕
また、本発明の一態様は、体力判定装置の体力判定方法であって、ユーザの所定の身体部位における体組成に基づく体組成評価値を決定するステップと、前記ユーザの歩幅に基づいて決定された歩幅評価値に基づく評価値が少なくとも含まれる運動力評価値の入力を受け付けるステップと、前記運動力評価値、及び前記体組成評価値に基づいて前記ユーザの体力判定結果を示す判定結果情報を結果情報として出力するステップと、を含むことを特徴とする体力判定方法として把握することもできる。
【０１８５】
付記１９の構成によれば、他の装置で決定された歩幅評価値を受け付けるとともに、歩幅評価値のみに限らず、歩幅以外を指標とした運動力評価値、または体組成評価値を加味して、ユーザの体力判定を行うことが可能である。よって、付記１９の構成によれば、他の装置で決定された歩幅評価値に基づいて、より詳しく体力判定を行った体力判定結果をユーザに提示することができる。
【０１８６】
〔付記２０〕
また、本発明の一態様は、運動処方装置の運動処方方法であって、ユーザの歩幅に基づいて決定された歩幅評価値に基づいて運動処方を示す処方情報を出力するステップ、を含むことを特徴とする運動処方方法として把握することもできる。
【０１８７】
付記２０の構成によれば、ユーザの歩幅に基づいてユーザに適した運動メニューを提示することができるため、歩幅の計測結果を有効に利用することができる。
【０１８８】
〔付記２１〕
また、本発明の一態様は、コンピュータに、ユーザの歩幅に基づいて当該ユーザの歩幅評価値を決定するステップと、前記決定した前記歩幅評価値に基づいて前記ユーザの歩幅の評価結果を示す結果情報を出力するステップと、を実行させるためのプログラムとして把握することもできる。
【０１８９】
付記２１の構成によれば、ユーザの歩幅の評価結果をユーザに提示することができるため、歩幅の計測結果を有効に利用することができる。
【０１９０】
〔付記２２〕
また、本発明の一態様は、コンピュータに、ユーザの所定の身体部位における体組成に基づく体組成評価値を決定するステップと、前記ユーザの歩幅に基づいて決定された歩幅評価値に基づく評価値が少なくとも含まれる運動力評価値の入力を受け付けるステップと、前記運動力評価値、及び前記体組成評価値に基づいて前記ユーザの体力判定結果を示す判定結果情報を結果情報として出力するステップと、を実行させるためのプログラムとして把握することもできる。
【０１９１】
付記２２の構成によれば、他の装置で決定された歩幅評価値を受け付けるとともに、歩幅評価値のみに限らず、歩幅以外を指標とした運動力評価値、または体組成評価値を加味して、ユーザの体力判定を行うことが可能である。よって、付記１９の構成によれば、他の装置で決定された歩幅評価値に基づいて、より詳しく体力判定を行った体力判定結果をユーザに提示することができる。
【０１９２】
〔付記２３〕
また、本発明の一態様は、コンピュータに、ユーザの歩幅に基づいて決定された歩幅評価値に基づいて運動処方を示す処方情報を出力するステップ、を実行させるためのプログラムとして把握することもできる。
【０１９３】
付記２３の構成によれば、ユーザの歩幅に基づいてユーザに適した運動メニューを提示することができるため、歩幅の計測結果を有効に利用することができる。
【符号の説明】
【０１９４】
１  体力判定システム、２  超音波測定装置、３  運動処方システム、１０  ＣＰＵ、１３  ハードディスク、１４  入力部、１５  ディスプレイ、１６  通信インターフェース、１７  読取装置、１８  インターフェース、ＴＢＬ１１  筋厚評価テーブル、ＴＢＬ１２  脂肪厚評価テーブル、ＴＢＬ１３  処方テーブル、ＴＢＬ１４  履歴テーブル、ＴＢＬ１５  判定テーブル、１１１０  筋厚受付部、１１２０  筋厚評価部、１１３０  運動力受付部、１１４０  脂肪厚受付部、１１５０  脂肪厚評価部、１１６０  処方情報出力部、１１７０  閲覧受付部、１１８０  閲覧情報出力部、１１９０  判定結果情報出力部、１２１０  身体能力取得部、１２２０  体組成情報受付部、１２３０  体組成評価部、１００、１００Ａ  歩幅計測装置、１１１  ＧＰＳアンテナ、１１２  位置情報取得部、１１３  加速度センサ、１１４  計時信号生成部、１２０  タッチパネル、１２１  操作部、１２２  表示部、１３０  通信部、１４０、１４０Ａ  記憶部、１４１  ユーザ情報記憶部、１４２  計測情報記憶部、１４３  地図情報記憶部、１４４  画像情報記憶部、１４５  評価テーブル記憶部、１４６  処方テーブル記憶部、ＴＢＬ１  ユーザ情報テーブル、ＴＢＬ２  歩幅評価テーブル、ＴＢＬ３  体力判定テーブル、ＴＢＬ４  評価コメントテーブル、ＴＢＬ５  処方テーブル、１５０、１５０Ａ  制御部、１５１  表示制御部、１５２  入力受付部、１５３  移動距離取得部、１５４  歩数取得部、１５５  歩幅取得部、１５６  歩幅計測部、１５７  歩幅評価部、１５８  結果情報出力部、１５９  処方情報出力部、２００  体力判定装置、３００、３００Ａ  運動処方装置、４００  端末装置
【図１】
2015134111.tif 000003
【図２】
2015134111.tif 000004
【図３】
2015134111.tif 000005
【図４】
2015134111.tif 000006
【図５】
2015134111.tif 000007
【図６】
2015134111.tif 000008
【図７】
2015134111.tif 000009
【図８】
2015134111.tif 000010
【図９】
2015134111.tif 000011
【図１０】
2015134111.tif 000012
【図１１】
2015134111.tif 000013
【図１２】
2015134111.tif 000014
【図１３】
2015134111.tif 000015
【図１４】
2015134111.tif 000016
【図１５】
2015134111.tif 000017
【図１６】
2015134111.tif 000018
【図１７】
2015134111.tif 000019
【図１８】
2015134111.tif 000020
【図１９】
2015134111.tif 000021
【図２０】
2015134111.tif 000022
【図２１】
2015134111.tif 000023
【図２２】
2015134111.tif 000024